(57)【特許請求の範囲】
【請求項１】
摩擦クリートを靴に交換可能に取り付けるレセプタクルであって、
靴のソールに固定されるように適合される基部であって、底面と長手方向に延びるレセプタクル取り付け軸とを有する、基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、クリートの取り付けフランジ構造が該アパーチャを通って軸方向に通過させられ、該フランジ構造が該レセプタクル取り付け軸の周りに該レセプタクルに対する角度係止配向に該キャビティ中で角度方向に回転されるように、該レセプタクルに対して角度方向の挿入配向において該キャビティに受け入れられることを可能にするように構成され、該端壁は、該角度係止配向において、該キャビティからの該取り付けフランジ構造の軸方向の除去を防ぐようにさらに構成される、遠位端壁と
を含み、
該遠位端壁の該外部面は、該レセプタクル取り付け軸の周りの角度位置の関数として、該外部面から徐々に突き出る少なくとも１つの円弧状の外部傾斜区画を有し、該クリートに接触するための角度のある界面を提供し、該少なくとも１つの円弧状の外部傾斜区画は、複数の端を有し、該複数の端は、最大におよび最小に突き出る角度的に変位され、該基部から異なる距離に配置され、
該レセプタクル取り付け軸に平行な寸法における厚さは、５ミリメートル以下である、レセプタクル。
【請求項２】
前記端壁の前記内部面は、前記レセプタクル取り付け軸の周りの角度位置の関数として、該内部から前記キャビティ面の中に徐々に突き出る少なくとも１つの円弧状の内部傾斜区画を有し、前記基部の軸の周りの角度位置の関数として、該キャビティの少なくとも一部分の前記長手方向の深さを変化する、請求項１に記載のレセプタクル。
【請求項３】
前記外部傾斜区画は、前記レセプタクル取り付け軸の周りに曲率を有する、請求項１に記載のレセプタクル。
【請求項４】
前記クリート上の係止構造と協働するための、角度的に延びる一連の係止歯をさらに含む、請求項１に記載のレセプタクル。
【請求項５】
前記ボスは、半径方向外側に面する面を有する周辺壁を有し、前記角度的に延びる一連の係止歯は、該周辺壁から半径方向外側に突き出る、請求項４に記載のレセプタクル。
【請求項６】
前記一連の係止歯は、角度的に延び、かつ角度的に離れている複数のクラスタの中に配置され、各クラスタは複数の係止歯を含む、請求項５に記載のレセプタクル。
【請求項７】
前記アパーチャは、前記レセプタクルに対して角度配向のうちの限定された数において前記クリートを受け入れるように構成され、前記クラスタは角度的に位置決めされて、該限定された数の角度配向以外の該レセプタクルに対する角度配向においてのみ、該クリート上の係止リッジを係合する、請求項６に記載のレセプタクル。
【請求項８】
前記一連の係止歯は、継ぎ目のない配列で連続的に延びる、請求項４に記載のレセプタクル。
【請求項９】
前記係止歯は、前記基部中に画定されて、前記クリートに向かって下方に面する、請求項４に記載のレセプタクル。
【請求項１０】
前記ボスは、前記キャビティに面する内部面を有する近位端壁を有し、クリートの前記取り付けフランジ構造上の係止構造を係合するように適合された該近位端壁の該内部面上に配置された係止クラスタをさらに含む、請求項１に記載のレセプタクル。
【請求項１１】
前記クリートの前記フランジ構造上の係止手段を係合するように適合された前記キャビティに配置された係止構造をさらに含む、請求項１に記載のレセプタクル。
【請求項１２】
前記レセプタクル取り付け軸への寸法において前記キャビティの最長の部分における該キャビティの長さは、１．６ｍｍより大きくない、請求項１に記載のレセプタクル。
【請求項１３】
前記レセプタクル取り付け軸に平行な寸法における前記レセプタクルの最大の厚さは、４ミリメートル以下である、請求項１に記載のレセプタクル。
【請求項１４】
アパーチャを通る前記端壁の輪郭は、前記摩擦クリートの前記取り付けフランジ構造の周辺に実質的に整合する、請求項１に記載のレセプタクル。
【請求項１５】
前記レセプタクルは、前記クリートを所定の角度係止配向に係止するように配置され、該レセプタクルは、該所定の角度係止配向における前記角度挿入配向から該レセプタクルに対する該クリートの回転を制限するために、前記ボス端壁の前記外部面上のストップ肩をさらに含む、請求項１に記載のレセプタクル。
【請求項１６】
前記所定の角度係止配向における前記角度挿入配向から前記レセプタクルに対して前記クリートの回転を制限するために、前記キャビティ内に配置されたストップ部材をさらに含む、請求項１５に記載のレセプタクル。
【請求項１７】
前記所定の角度係止配向における前記角度挿入配向から前記レセプタクルに対する前記クリートの回転を制限するために、前記ボスから半径方向に離れて基部上に配置されたストップ部材をさらに含む、請求項１６に記載のレセプタクル。
【請求項１８】
前記ボスは、半径方向外側に面する面を有する周辺壁を有し、角度的に延び、くぼみと交互に、該周辺壁から半径方向外側に突き出る一連の係止歯をさらに含む、請求項１に記載のレセプタクル。
【請求項１９】
前記一連の係止歯は、複数の角度的に延びて角度的に離れたクラスタ中に配置されており、各クラスタは複数の係止歯を含む、請求項１８に記載のレセプタクル。
【請求項２０】
前記アパーチャは、前記レセプタクルに対して角度配向のうちの限定された数において前記クリートを受け入れるように構成され、前記クラスタは角度的に位置決めされて、該限定された数の角度配向以外の該レセプタクルに対する角度配向においてのみ、該クリート上の係止リッジを係合する、請求項１９に記載のレセプタクル。
【請求項２１】
前記一連の係止歯は、前記周辺壁の全体の円周の周りに連続して延びる、請求項１８に記載のレセプタクル。
【請求項２２】
前記レセプタクル取り付け軸の寸法における前記キャビティの前記厚さは、５ミリメートル以下である、請求項１に記載のレセプタクル。
【請求項２３】
前記レセプタクルは、前記クリートを所定の角度係止配向に係止するように配置され、該レセプタクルは、該レセプタクルに対する該クリートの回転を制限するために、前記レセプタクル取り付け軸から半径方向に離された異なる位置において配置された、複数の離れたストップ肩をさらに含み、該複数のストップ肩は位置決め的に同期されており、正確に該角度係止配向における該クリートのさらなる回転を防ぐ、請求項１に記載のレセプタクル。
【請求項２４】
レセプタクル摩擦クリートであって、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
靴に取り付けられたレセプタクルにクリートを取り外し可能に取り付けるための取り付け構造であって、該レセプタクルは
靴のソールに固定されるように適合される基部であって、底面および長手方向に延びるレセプタクル取り付け軸を有する、基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、クリートの取り付けフランジ構造が該アパーチャを通って軸方向に通過させられ、該フランジ構造が該レセプタクル取り付け軸の周りに該レセプタクルに対して角度係止配向に該キャビティ中で角度方向に回転させられるように、該レセプタクルに対する角度方向の挿入配向において該キャビティに受け入れられることを可能にするように構成されており、該端壁は、該角度係止配向において、該キャビティからの該取り付けフランジ構造の軸方向の除去を防ぐようにさらに構成される、遠位端壁と
を含むタイプであり、
該遠位端壁の該外部面は、該レセプタクル取り付け軸の周りの角度位置の関数として、該外部面から徐々に突き出る少なくとも１つの円弧状の外部傾斜区画を有し、該クリートに接触するための角度のある界面を提供し、該少なくとも１つの円弧状の外部傾斜区画は、複数の端を有し、該複数の端は、最大におよび最小に突き出る角度的に変位され、該基部から異なる距離に配置され、
該レセプタクルの長手方向の全寸法は、４ミリメートル以下である、
取り付け構造と
を含み、
該レセプタクル取り付け軸に平行な寸法における該レセプタクルの厚さは、５ミリメートル以下である、レセプタクル摩擦クリート。
【請求項２５】
レセプタクル摩擦クリートであって、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
靴に取り付けられたレセプタクルにクリートを取り外し可能に取り付けるための取り付け構造であって、該レセプタクルは
靴のソールに固定されるように適合される基部であって、底面と長手方向に延びるレセプタクル取り付け軸を有する、基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、クリートの取り付けフランジ構造が該アパーチャを通って軸方向に通過させられ、該フランジ構造が該レセプタクル取り付け軸の周りに該レセプタクルに対して角度係止配向に該キャビティ中で角度方向に回転させられるように、該レセプタクルに対する角度方向の挿入配向において該キャビティに受け入れられることを可能にするように構成されており、該端壁は、該角度係止配向において、該キャビティからの該取り付けフランジ構造の軸方向の除去を防ぐようにさらに構成される、遠位端壁と
を含むタイプであり、
該遠位端壁の該外部面は、該レセプタクル取り付け軸の周りの角度位置の関数として、該外部面から徐々に突き出る少なくとも１つの円弧状の外部傾斜区画を有し、該クリートに接触するための角度のある界面を提供し、該少なくとも１つの円弧状の外部傾斜区画は、複数の端を有し、該複数の端は、最大におよび最小に突き出る角度的に変位され、該基部から異なる距離に配置され、
該キャビティの長手方向寸法は、その最長の位置において１．６ミリメートル以下である、
取り付け構造と
を含み、
該レセプタクル取り付け軸に平行な寸法における該レセプタクルの厚さは、５ミリメートル以下である、レセプタクル摩擦クリート。
【請求項２６】
靴取り付けレセプタクルに交換可能に取り付け可能な摩擦クリートのための取り付けおよび係止システムであって、
該システムは、該摩擦クリートと該レセプタクルとを含み、
該摩擦クリートは、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
ハブの上面における近位端と、遠位端とを有する少なくとも１つのステムであって、該ステムは、該クリート取り付け軸の周りに実質的に集中している該上面から軸方向に上方に延びる、ステムと、
取り付けフランジ構造であって、該取り付けフランジ構造は、所定の横方向の周辺構成を有し、該ステムの該遠位端に近接して該ステムから概して半径方向に延びる少なくとも１つのフランジ部材を含む、取り付けフランジ構造と、
クリート係止構造と、
該クリート取り付け軸の周りの角度位置の関数として、該ハブの上面から徐々に突き出て、該レセプタクルと接触するための角度のある界面を提供する、少なくとも１つの円弧状のハブ傾斜区画であって、該ハブ傾斜区画は、最大および最小に盛り上がった角度的に変位される端を有する、ハブ傾斜区画と、
を含み、
該レセプタクルは、
靴のソールに固定されるように適合され、底面と長手方向に延びるレセプタクル取り付け軸とを有する基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、該取り付けフランジ構造が、該アパーチャを通って軸方向に通過させられ、該フランジ構造が該一致する軸の周りに該レセプタクルに対して角度係止配向に該キャビティ中で角度方向に回転させられるように、該クリート取り付け軸および該レセプタクル取り付け軸が該レセプタクルに対して角度挿入配向において一致して、該キャビティに受け入れられることを可能にし、該端壁は、該角度係止配向において、該キャビティからの該取り付けフランジ構造の軸方向の除去を防ぐようにさらに構成される、遠位端壁と、
該クリート取り付け軸の周りの角度位置の関数として、該ボス端壁の外部面から徐々に突き出る、少なくとも１つの円弧状のレセプタクル傾斜区画であって、該レセプタクル傾斜区画は、該フランジ構造が、該角度挿入配向から該角度係止配向に該キャビティ中で回転させられるとき、増加する摩擦フィット係合において該ハブ傾斜区画と整列され当接するように位置決めされ、該角度のある界面を提供し、該ハブ傾斜区画は、複数の端を有し、該複数の端は、最大および最小に盛り上がった角度的に変位され、該基部から異なる距離に配置される、レセプタクル傾斜区画と、
該クリート係止構造を該角度係止配向に係合するように位置決めされ、該クリートと該レセプタクルとの間の想定外の角度的な回転を防ぐ、レセプタクル係止構造と
を含み、
該レセプタクル取り付け軸に平行な寸法における該レセプタクルの厚さは、５ミリメートル以下である、システム。
【請求項２７】
前記取り付けフランジ構造は、前記ステムから半径方向外側に延びる少なくとも１つのフランジ部材を含み、前記クリート取り付け軸の周りの角度位置の関数として、前記フランジ部材の前記長手方向の厚さを増加する斜面を有する前記ハブから離されて該ハブに面する下部面を有し、
前記ボス遠位端壁の前記内部面は、該フランジ部材が前記キャビティ中で前記角度係止配向に向かって回転させられるとき、該フランジ部材の該下部面に面し、かつ、該フランジ部材に当接し、該フランジ部材の該下部面と該内部面とは、該フランジ部材が前記角度係止配向に向かって回転させられるとき、増加するフィットに、より密接に係合されるように、該内部面は、前記レセプタクル取り付け軸の周りの角度位置の関数として増加する斜面を有する、請求項２６に記載のシステム。
【請求項２８】
前記レセプタクル取り付け軸に平行な寸法における前記レセプタクルの前記最大の厚さは、４ミリメートル以下である、請求項２７に記載のシステム。
【請求項２９】
前記クリート取り付け軸に平行な寸法における前記フランジ部材の前記厚さは、１．６ミリメートル以下である、請求項２８に記載のシステム。
【請求項３０】
前記クリート係止構造は、前記ステムから半径方向に離れた関係において前記基部から上方に延びて、該ステムに面するくぼみによって離された少なくとも２つの凸状のリッジを含む構造を含み、
前記レセプタクル係止構造は、前記ボスから半径方向外側に突き出る一連の係止歯を含み、該歯は、該リッジと角度的に整列されると、該リッジの間の該くぼみの中に突き出るように構成され位置決めされている、請求項２６に記載のシステム。
【請求項３１】
前記クリート係止構造は、前記取り付けフランジ構造から半径方向に離された関係において前記ステムから上方に延び、該ステムに面するくぼみによって離された少なくとも２つの凸状のリッジを含む構造を含み、
該クリート係止構造は、前記ボスの前記近位端から前記キャビティの中で下側方向に突き出る一連の係止歯を含み、該係止歯は、該リッジと角度的に整列されると、前記リッジの間の該くぼみの中に突き出るように構成され位置決めされている、請求項２６に記載のシステム。
【請求項３２】
前記レセプタクルは、所定の角度係止配向において前記クリートを係止するように配置されており、
該クリートは、前記クリート取り付け軸から半径方向に離された異なる位置において、複数の離れたクリート角度ストップ肩をさらに含み、
該レセプタクルは、該クリート取り付け軸から半径方向に離された異なる位置における複数の離れたレセプタクル角度ストップ肩をさらに含み、
該クリートストップ肩の各々は、前記角度係止配向において、該レセプタクルストップ肩の対応する１つに当接するように位置決めされ、該レセプタクルに対する挿入方向の該クリートのさらなる回転を防ぐ、請求項２６に記載のシステム。
【請求項３３】
前記取り付けフランジ構造は、前記クリート取り付け軸の周りの角度的に離された位置において、前記ステムの前記遠位端に近接する該ステムから概して半径方向に延びる複数のフランジ部材を含み、
前記貫通アパーチャは、該複数のフランジ部材に整合し、該フランジ部材が、該キャビティ中で前記一致する軸の周りに前記レセプタクルに対して該角度係止配向に同時に角度的に回転され得るように、該複数のフランジ部材が軸方向にアパーチャを通って通過され、前記角度挿入配向において該キャビティ中に受け入れられることを可能にするように輪郭が付けられている、請求項２６に記載のシステム。
【請求項３４】
前記所定の角度係止配向において前記レセプタクルに対する前記角度挿入配向からの前記クリートの回転を制限するために、前記キャビティ内に配置されたストップ部材をさらに含む、請求項２６に記載のシステム。
【請求項３５】
靴取り付けレセプタクルに交換可能に取り付け可能な摩擦クリートのための取り付けおよび係止システムであって、
該システムは、該摩擦クリートと該レセプタクルとを含み、
該摩擦クリートは、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
該ハブの上面における近位端と、遠位端とを有する少なくとも１つのステムであって、該ステムは、該クリート取り付け軸の周りに実質的に集中している該上面から軸方向に上方に延びる、ステムと、
所定の横方向の周辺構成を有し、該ステムの該遠位端に近接して該ステムから概して半径方向に延びるフランジ部材であって、該クリート取り付け軸に平行な寸法における該フランジ部材の厚さは、１．６ミリメートル以下である、フランジ部材と、
クリート係止構造と
を含み、
該レセプタクルは、
靴のソールに固定されるように適合され、底面と長手方向に延びるレセプタクル取り付け軸とを有する基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、該取り付けフランジ構造が、該アパーチャを通って軸方向に通過させられ、該フランジ構造が該一致する軸の周りに該レセプタクルに対して角度係止配向に該キャビティ中で角度方向に回転させられるように、該クリート取り付け軸および該レセプタクル取り付け軸が該レセプタクルに対して角度挿入配向において一致して、該キャビティに受け入れられることを可能にし、該端壁は、該角度係止配向において、該キャビティからの該取り付けフランジ構造の軸方向の除去を防ぐようにさらに構成され、該遠位端壁の該外部面は、該レセプタクル取り付け軸の周りの角度位置の関数として、該外部面から徐々に突き出る少なくとも１つの円弧状の外部傾斜区画を有し、該クリートに接触するための角度のある界面を提供し、該少なくとも１つの円弧状の外部傾斜区画は、複数の端を有し、該複数の端は、最大におよび最小に突き出る角度的に変位され、該基部から異なる距離に配置される、遠位端壁と、
該クリート係止構造を該角度係止配向に係合して、該クリートと該レセプタクルとの間の想定外の角度回転を防ぐように構成されている、レセプタクル係止構造と
を含み、
該レセプタクル取り付け軸に平行な寸法における該レセプタクルの該最大の厚さは、５ミリメートル以下である、システム。
【請求項３６】
靴取り付けレセプタクルに交換可能に取り付け可能な摩擦クリートのための取り付けおよび係止システムであって、
該システムは、該摩擦クリートと該レセプタクルとを含み、
該摩擦クリートは、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
複数のステムであって、各ステムは該ハブの該上面における近位端と、遠位端とを有し、該ステムは、該クリート取り付け軸の周りの異なる角度位置において位置決めされ、該クリート取り付け軸に実質的に概して平行に該上面から軸方向に上方に延びる、ステムと、
所定の横周辺部を有し、それぞれのステムの該遠位端から概して半径方向に延びる複数の取り付けフランジ部材と、
クリート係止構造と、
該クリート取り付け軸の周りの角度位置の関数として、該ハブ上面から徐々に突き出て、該レセプタクルと接触するための角度のある界面を提供する少なくとも１つの円弧状のハブ傾斜区画であって、該ハブ傾斜区画は最大および最小に盛り上がった角度的に変位された端を有するハブ傾斜区画と
を含み、
該レセプタクルは、
靴のソールに固定されるように適合され、底面と長手方向に延びるレセプタクル取り付け軸とを有する基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、該取り付けフランジ部材が、該アパーチャを通って軸方向に通過させられ、該フランジ構造が該一致する軸の周りに該レセプタクルに対して角度係止配向に該キャビティ中で角度方向に回転させられるように、該クリート取り付け軸および該レセプタクル取り付け軸が該レセプタクルに対して角度挿入配向において一致して、該キャビティに受け入れられることを可能にし、該端壁は、該角度係止配向において、該キャビティからの該取り付けフランジ部材の軸方向の除去を防ぐようにさらに構成される、遠位端壁と、
該クリート取り付け軸の周りの角度位置の関数として、該ボス端壁の外部面から徐々に突き出る、少なくとも１つの円弧状のレセプタクル傾斜区画であって、該レセプタクル傾斜区画は、該フランジ構造が、該角度挿入配向から該角度係止配向に該キャビティ中で回転させられると、増加する摩擦フィット係合において該クリート傾斜区画と整列され当接するように位置決めされ、該角度のある界面を提供し、該ハブ傾斜区画は、複数の端を有し、該複数の端は、最大および最小に盛り上がった角度的に変位され、該基部から異なる距離に配置される、レセプタクル傾斜区画と、
該クリート係止構造を該角度係止配向に係合するように位置決めされ、該クリートと該レセプタクルとの間の想定外の角度的な回転を防ぐ、レセプタクル係止構造と
を含み、
該レセプタクル取り付け軸に平行な寸法における該レセプタクルの厚さは、５ミリメートル以下である、システム。
【請求項３７】
前記取り付けフランジ部材は、前記クリート取り付け軸の周りの角度位置の関数として、該フランジ部材の前記長手方向の厚さを増加する斜面を有する該ハブから離され該ハブに面する下部面を各々有し、
前記ボス遠位端壁の前記内部面は、該フランジ部材が前記キャビティ内で前記角度係止配向に向かって回転させられると、各フランジ部材の該下部面に面し、当接し、該内部面は、該フランジ部材が該角度係止配向に向かって回転させられると、該フランジ部材の該下部面および該内部面区画が増加フィットにおいてより密接に係合するように、該レセプタクル取り付け軸の周りの角度位置の関数として増加する各フランジ部材に面する斜面のある区画を有する、請求項３６に記載のシステム。
【請求項３８】
前記レセプタクル取り付け軸に平行な寸法における前記レセプタクルの前記最大の厚さは、４ミリメートル以下である、請求項３７に記載のシステム。
【請求項３９】
前記クリート取り付け軸に平行な寸法における前記フランジ部材の前記厚さは、１．６ミリメートル以下である、請求項３８に記載のシステム。
【請求項４０】
靴取り付けレセプタクルに交換可能に取り付け可能な摩擦クリートのための取り付けおよび係止システムであって、
該システムは、該摩擦クリートと該レセプタクルとを含み、
該摩擦クリートは、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
該上面から上方への延長部を有するステムと、
該クリート取り付け軸の周りの角度位置の関数として、該ハブ上面から徐々に突き出て、該レセプタクルと接触するための角度のある界面を提供する少なくとも１つの円弧状のハブ傾斜区画であって、該ハブ傾斜区画は最大および最小に盛り上がった角度的に変位された端を有する、少なくとも１つの円弧状のハブ傾斜区画と
を含み、
該レセプタクルは、
靴のソールに固定されるように適合され、底面と長手方向に延びるレセプタクル取り付け軸とを有する基部と、
該ステムを受け入れ、該ステムに取り付けるためのキャビティと、
該キャビティを囲む該レセプタクル上の下方に面する壁であって、該キャビティは、該クリート取り付け軸の周りの角度位置の関数として、徐々に下方に突き出る少なくとも１つの円弧状のレセプタクル傾斜区画を有し、該レセプタクル傾斜は、該ステムが該キャビティ中で、挿入方向に回転させられると、増加する摩擦フィット係合において、該ハブ傾斜区画と整列され該ハブ傾斜区画に当接するように位置決めされて、角度のある界面を提供し、該ハブ傾斜区画は、複数の端を有し、該複数の端は、最大におよび最小に突き出る角度的に変位され、該基部から異なる距離に配置される、下方に面する壁と
を含み、
該レセプタクル取り付け軸に平行な寸法における該レセプタクルの厚さは、５ミリメートル以下である、システム。
【請求項４１】
請求項１の靴取り付けレセプタクルに取り付け、該靴取り付けレセプタクルを係止する摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該ハブの該上面における近位端と、遠位端とを有する少なくとも１つのステムであって、該ステムは、該クリート取り付け軸の周りに実質的に集中して該上面から軸方向上方に延びる、ステムと、
取り付けフランジ構造であって、該取り付けフランジ構造は、該レセプタクルに受け入れられるように構成され、所定の横周辺部構成を有し、該ステムの該遠位端に近接して、該ステムから概して半径方向に延びる、少なくとも１つのフランジ部材を含む、取り付けフランジ構造と、
噛み合い構造を該レセプタクル中に係合し、該レセプタクル中の該クリートの、係止角度配向からの想定外の回転を防ぐためのクリート係止構造と、
該クリート取り付け軸の周りの角度位置の関数として、該ハブ上面から徐々に突き出て、該レセプタクルと接触するための角度のある界面を提供する少なくとも１つの円弧状のハブ傾斜区画であって、該ハブ傾斜区画は最大および最小に盛り上がった角度的に変位された端を有する、少なくとも１つの円弧状のハブ傾斜区画と
を含み、
レセプタクル取り付け軸に平行な寸法における該レセプタクルの厚さは、５ミリメートル以下である、摩擦クリート。
【請求項４２】
前記取り付けフランジ構造は、少なくとも１つのフランジ部材を含み、該フランジ部材は、前記ステムから半径方向外側に延び、斜面を有する前記ハブから離され、該ハブに面する下部面を有し、該斜面は、該クリート取り付け軸の周りの角度位置の関数として、該フランジ部材の長手方向の厚さを増加し、該下部面は、該フランジ部材が前記レセプタクル中で回転させられると、該レセプタクルの面との増加する摩擦フィットにおいて、当接し、より密接に係合するように構成されている、請求項４１に記載のクリート。
【請求項４３】
前記クリート取り付け軸に平行な寸法における前記フランジ部材の厚さは、１．６ミリメートル以下である、請求項４２に記載のクリート。
【請求項４４】
前記クリート係止構造は、前記ステムから半径方向に離れた関係において、前記基部から上方向に延び、該ステムの面するくぼみによって離された、少なくとも２つの凸状のリッジを含む、請求項４１に記載のクリート。
【請求項４５】
前記クリート係止構造は、前記取り付けフランジから上方に延びる、請求項４１に記載のクリート。
【請求項４６】
前記レセプタクルは、前記クリートを所定の角度係止配向に係止するように配置され、該クリートは、前記クリート取り付け軸から異なる半径方向に離れた位置に配置される複数の離れたクリート角度ストップ肩をさらに含み、該クリートストップ肩の各々は、該角度係止配向において、対応するレセプタクルストップ肩に当接するように位置決めされており、該レセプタクルに対する前記挿入方向への該クリートのさらなる回転を防ぐ、請求項４１に記載のクリート。
【請求項４７】
前記取り付けフランジ構造は、複数のフランジ部材を含み、該複数のフランジ部材は、前記クリート取り付け軸の周りに角度的に離された位置において、前記ステムの前記遠位端に近接して該ステムから概して半径方向に延びる、請求項４１に記載のクリート。
【請求項４８】
請求項１の靴取り付けレセプタクルに取り付け、該靴取り付けレセプタクルと係合するための摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該ハブの該上面における近位端と、遠位端とを有する少なくとも１つのステムであって、該ステムは、該クリート取り付け軸の周りに実質的に集中して該上面から軸方向上方に延びる、ステムと、
所定の横周辺部構成を有し、該ステムの該遠位端に近接して、該ステムから概して半径方向に延びるフランジ部材であって、該クリート取り付け軸に平行な寸法における該フランジ部材の厚さは、１．６ミリメートル以下である、フランジ部材と、
噛み合い構造を該レセプタクルに係合するためのクリート係止構造であって、係止角度配向からの該レセプタクル中の該クリートの想定外の回転を防ぐ、クリート係止構造と
を含み、
レセプタクル取り付け軸に平行な寸法における該レセプタクルの厚さは、５ミリメートル以下である、摩擦クリート。
【請求項４９】
請求項１の靴取り付けレセプタクルに取り付け、該靴取り付けレセプタクルと係合するための摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該ハブの該上面における近位端と、遠位端とを各々有する複数のステムであって、該ステムは、該クリート取り付け軸の周りの異なる角度位置に配置されており、該クリート取り付け軸に実質的に概して平行に該上面から軸方向上方に延びる、ステムと、
所定の横周辺部を有し、それぞれのステムの該遠位端から概して半径方向に延びる、複数の取り付けフランジ部材と、
噛み合い構造を該レセプタクルに係合するためのクリート係止構造であって、係止角度配向からの該レセプタクル中の該クリートの想定外の回転を防ぐ、クリート係止構造と
を含み、
レセプタクル取り付け軸に平行な寸法における該レセプタクルの厚さは、５ミリメートル以下である、摩擦クリート。
【請求項５０】
前記取り付けフランジ部材は、斜面を有する前記ハブから離れて、該ハブに面する下部面を各々有し、該斜面は、該フランジ部材が該角度係止配向に向かって回転させられると、前記クリート取り付け軸の周りの角度位置の関数として、該フランジ部材の前記長手方向の厚さを増加し、該下部面は増加する摩擦フィットに接触し、より密接に増加する摩擦フィットに係合されるように構成されている、請求項４９に記載のクリート。
【請求項５１】
前記クリート取り付け軸に平行な寸法における前記フランジ部材の前記厚さは、１．６ミリメートル以下である、請求項５０に記載のクリート。
【請求項５２】
請求項１の靴取り付けレセプタクルに取り付け、靴取り付けレセプタクルを係止する摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該上面から上方への延長部を有するステムと、
該クリート取り付け軸の周りの角度位置の関数として、該ハブ上面から徐々に突き出る少なくとも１つの円弧状のレセプタクル傾斜区画であって、該レセプタクル傾斜区画は、該レセプタクルに接触するための角度のある界面を提供し、該ハブ傾斜区画は、最大および最小に盛り上がった角度的に変位される端を有する、レセプタクル傾斜区画と
を含み、
レセプタクル取り付け軸に平行な寸法における該レセプタクルの厚さは、５ミリメートル以下である、摩擦クリート。
【請求項５３】
請求項１の靴取り付けレセプタクルの摩擦クリートに交換可能に取り付けて該摩擦クリートを係止する方法であって、該方法は、
クリートステムをレセプタクル中で回転して、該ステムをキャビティに取り付けることと、
角度のある界面において、クリート傾斜面と該キャビティの外に配置されるレセプタクル傾斜面とを当接することであって、それにより、クリートステム回転の関数として、徐々に該傾斜面をより強い当接に押し付けて、該クリートおよびレセプタクルの最終の角度配向において、該傾斜面の間に摩擦フィットを提供することと
を含み、
レセプタクル取り付け軸に平行な寸法における該レセプタクルの厚さは、５ミリメートル以下である、方法。
【請求項５４】
前記レセプタクルに対する前記最終の角度配向からの、前記クリートの想定外の回転を防ぐための係止係合を提供することをさらに含む、請求項５３に記載の方法。
【請求項５５】
請求項１の靴取り付けレセプタクルの摩擦クリートに交換可能に取り付けて該摩擦クリートを係止する方法であって、該方法は、
クリートステムを該レセプタクル中で回転して、該ステムをキャビティに取り付けることと、
該キャビティの外側の異なる半径方向に離された位置において、該クリートと該レセプタクルとの間に複数の回転ストップ係合を提供して、挿入方向における該クリートおよび該レセプタクルの最終角度配向への回転を制限することと
を含み、
レセプタクル取り付け軸に平行な寸法における該レセプタクルの厚さは、５ミリメートル以下である、方法。
【請求項５６】
前記最終角度配向からの、前記クリートの前記レセプタクルに対する想定外の回転を防ぐための係止係合を提供することをさらに含む、請求項５３に記載の方法。
【請求項５７】
前記レセプタクルは、前記取り付けフランジ構造の硬度よりも大きい硬度を有する成形プラスチックユニットである、請求項１に記載のレセプタクル。
【請求項５８】
前記レセプタクルのデュロメータ硬度は、８８Ｄ〜９３Ｄの範囲内にある、請求項５７に記載のレセプタクル。
【請求項５９】
外側ソールがその一部分である靴をさらに含み、該靴の外側ソールは、成形可能な材料であり、前記基部は、該基部を通るように画定された複数の取り付けスロットをさらに含み、前記レセプタクルは、該取り付けスロットの周りに形成された該外側ソールの成形可能な材料によって、該外側ソール内に固定され、かつ、埋め込まれる、請求項１に記載のレセプタクル。
【請求項６０】
前記レセプタクルは、前記取り付けフランジ構造の硬度よりも大きい硬度を有する成形プラスチックユニットである、請求項２６に記載のシステム。
【請求項６１】
外側ソールがその一部分である靴をさらに含み、該靴の外側ソールは、成形可能な材料であり、前記基部は、該基部を通るように画定された複数の取り付けスロットをさらに含み、前記レセプタクルは、該取り付けスロットの周りに形成された該外側ソールの成形可能な材料によって、該外側ソール内に固定され、かつ、埋め込まれる、請求項６０に記載のシステム。
【請求項６２】
前記レセプタクルのデュロメータ硬度は、８８Ｄ〜９３Ｄの範囲内にあり、前記取り付けフランジ構造のデュロメータ硬度は、５５Ｄ〜７５Ｄの範囲内にある、請求項６０に記載のシステム。
【請求項６３】
前記レセプタクルのデュロメータ硬度は、８８Ｄ〜９３Ｄの範囲内にあり、前記取り付けフランジ構造のデュロメータ硬度は、５５Ｄ〜７５Ｄの範囲内にある、請求項４０に記載のシステム。
【発明の詳細な説明】
【技術分野】
【０００１】
（関連出願の参照）
この出願は、「Ｌｏｗ  Ｐｒｏｆｉｌｅ  Ｃｌｅａｔ  ａｎｄ  Ｒｅｃｅｐｔａｃｌｅ  Ａｓｓｅｍｂｌｙ  ａｎｄ  Ａｔｔａｃｈｍｅｎｔ  Ｍｅｔｈｏｄ」と題する、２００９年４月１０日に出願された米国仮特許出願番号第６１／１６８，２４５号の優先権を主張するものである。仮特許出願おける開示は、その全体が参照により援用されている。
【０００２】
（技術分野）
本発明は、運動靴のための摩擦クリートとクリートレセプタクルとを相互接続する改良された方法および装置に属する。本明細書に開示されている好ましい実施形態は、第１にゴルフシューズに使用されるが、相互接続の方法および構造は、靴に選択的に取り付け可能な摩擦クリートを利用する任意の靴への応用を有することが理解されるべきである。
【背景技術】
【０００３】
（用語定義）
他に述べられない限り、あるいは文脈的に明白でない限り、本明細書では以下のように使用される。
【０００４】
用語「上側の」、「最上部の」、「下側の」、「底（底部）の」、「縦の（垂直の）」、「横の（水平の）」等は、地面にある靴のソールに取り付けられる場合、クリートおよびレセプタクルの配向を参照するために便宜的に使用され、記述され請求される構造を限定することは意図されていない。
【０００５】
用語「軸の」、「軸に」、「長手方向の」、「長手方向に」等は、クリートがレセプタクルにおいてその周りに回転され、実質的に靴のソールに垂直である該軸に平行に延びる方向をいう。
【０００６】
用語「半径方向の」、「半径方向に」、「横に」、「横方向に」等は、クリート回転軸から垂直に延び、靴のソールに対して実質的に平行である方向をいう。
【０００７】
用語「角度」、「角の」、「回転的に」等は、他に宣言されない限り、クリート回転軸の周りの回転方向をいう。
【０００８】
用語「取り付ける」、「取り付け具」等は、レセプタクルに対するクリートの想定外の軸方向の変位を防ぐ、クリートとレセプタクルの間の長手方向の係合に関する。
【０００９】
用語「係止する」、「係止（の）」等は、取り付けられたクリートとレセプタクルの間の想定外の回転運動を防ぐことに関する。
【００１０】
（従来技術）
レセプタクル摩擦クリートは、靴の外側ソールに埋め込まれたレセプタクルに取り付けて係止するように設計される。一般には、取り付け具は、ねじの切られたステムによってもたらされ、ねじの切られたステムは、上面からクリートハブを延ばし、靴取り付けレセプタクルにおいて対応するねじの切られたソケットを係合する。係合されたねじ面は、ステムとソケットとの間の長手方向の運動を防ぐことによって、取り付け具を提供する。そのような構成の例は、特許文献１（Ｅｒｉｃｈ）、特許文献２（Ｋｅｌｌｙ）、特許文献３（ＭｃＭｕｌｌｉｎ）、特許文献４（Ｋｅｌｌｙ等）、特許文献５（ＭｃＭｕｌｌｉｎ）、特許文献６（Ｋｅｌｌｙ等）および特許文献７（Ｋｅｌｌｙ等）に見出され得る。そのような構成に使用できる他のクリートの例は、特許文献８（ＭｃＭｕｌｌｉｎ）、特許文献９（Ｔｅｒａｓｈｉｍａ）、特許文献１０（ＭｃＭｕｌｌｉｎ）に見出され得る。これらの特許のすべてにおける全体の開示は、この参照により本明細書に援用されている。上述の特許に開示された相互接続構成において使用されるレセプタクルは、長手方向の空間を適応させるために、必然的に比較的大きな長手方向（つまり、縦方向）の輪郭を有する。この空間は、（ａ）レセプタクルとクリートステムとの間のねじの切られた係合、および、（ｂ）ステムがさらにソケットの中に回転されるとき、徐々に係合し、これらの２つの構成部品間の相互接続の想定外の緩みを防ぐ、レセプタクルとクリートステムの上に提供される係止構成部品、のために必要である。一般的に、これらの構成におけるレセプタクルは、６ｍｍあるいはそれより大きいオーダの長手方向の寸法を有する。レセプタクルのこの寸法は、レセプタクルが埋め込まれる靴の外側ソールの最小の厚さを示す。レセプタクルは、薄くてより低コストの外側ソールを可能にするために、また、多くのゴルファーの地形に対する感触を改善するために、彼らは薄い外側ソールを望むので、長さが短いことが望ましい。
【００１１】
ソケットに対するクリートステムの想定外の回転を防ぐために、特許文献２、特許文献４、特許文献６、特許文献７に開示されているような係止構成を提供することが公知である。これらの係止構成は、一般に、レセプタクル上のソケット外装から半径方向に突き出る歯を含み、該歯は、ねじの切られたステムに間隔をおいた関係で、クリートハブから長手方向に突き出るステム、係止ポスト、あるいは同様なものの軸方向の挿入の関数として、増加的に係合する。
【００１２】
特許文献１１（Ｓａｖｏｉｃｅ）に示された取り付け構成は、クリートおよびレセプタクルを取り付ける代わりに、ねじの切られたステムを使用し、対応して係合のためのねじの切られたソケットを係合することによって、その遠位端において３つの半径方向に延びる保持部材を有するポストを有する。保持部材は、保持器につり合う輪郭を付けられた開口部を通って、レセプタクルキャビティ端壁において軸方向に受けられ、キャビティの中で、角度の位置に輪郭を付けられた開口部を過ぎて回転させられ、該開口部においてキャビティ端壁は保持部材の長手方向の運動を防ぐ。保持部材の半径方向の端におけるキャビティ内の係止機構は、係合されて、保持部材の想定外の回転運動を最小にする。キャビティ内の保持を最大にするために、保持器部材は、それらの長手方向寸法において比較的厚く、ストレスが加わった場合に保持部材の歪みを最小にする。この構成の商業的な実施形態は、Ｑ−ＬＯＫの商標の下に販売されており、それらの最も厚い部分において、約３ｍｍの縦の厚さの保持部材を有する。レセプタクルキャビティは、十分に深くて保持部材を受け入れなければならなく、一般には全体のレセプタクルの長手方向寸法は少なくとも６ｍｍであることが必要とされる。上に注解したように、レセプタクルのこの寸法は、靴の外側ソールの最小の厚さを示し、そこでは、レセプタクルが埋め込まれており、外側ソールが薄いことを可能にするために、レセプタクルは長さにおいて薄く作られなければならなく、それによって、より低コストにして製造し、ゴルファーに地形に対するより良い感触を提供する。
【００１３】
前述のＳａｖｏｉｅ特許に開示されている取り付け構造に対する係止構成の信頼性は、望まれるべき何かを残している。特に、ポストおよび保持部材は、比較的硬い単一式構造であり、保持部材の外側周囲は、キャビティの周囲に対して、同一の高さである。結果として、使用中に横方向の力が、キャビティ壁を通って単一式ポストおよび保持部材に直接的に印加され、その単一式構造に衝撃を与え、単一式構造を緩める傾向にあり、単一式構造をその係止構造からキャビティ内で変位させ、キャビティ内で回転することを可能にする。
【００１４】
他の従来技術の係止構成において、レセプタクルに対するクリートの回転的に係止される位置は、製造許容誤差あるいは設計の固有の特徴に依存して、不正確なことがあり得る。クリートおよびレセプタクルの係止構造が、正確さと、レセプタクルに対するクリートの望ましい回転的配向における信頼可能な係止とを提供することを保証することが望ましい。
【００１５】
標準ねじを使用して、靴のソールにおいてレセプタクルに取り付けられた初期のゴルフクリートは、レセプタクル内のクリートを外側ソールに対して固定するために１０回にものぼる３６０°回転を必要とするソケットにおいて、ステム上にねじを切る。係止する試みは、クリートハブの最上部を外側ソールの外面に対して圧縮して、摩擦フィットをもたらすことを含んだ。しかしながら、実際の使用において、この摩擦フィットはクリートが、徐々にそれ自体を後退して出すことを防げなかった。さらに、ステムが必要以上にねじ切られたことを、クリートの装着者に警告する具体的な停止点がなかった。つまり、「ストップ」がなく、可視の、可聴のあるいは触覚の、完全な挿入が達成されたことの指標がなかった。
【先行技術文献】
【特許文献】
【００１６】
【特許文献１】米国特許第５，０３６，６０６号明細書
【特許文献２】米国特許第６，２７２，７７４号明細書
【特許文献３】米国特許第６，３０５，１０４号明細書
【特許文献４】米国特許第６，８２３，６１３号明細書
【特許文献５】米国特許第６，８３４，４４６号明細書
【特許文献６】米国特許第７，１０７，７０８号明細書
【特許文献７】米国特許第７，１３７，２１３号明細書
【特許文献８】米国特許第６，３０５，１０４号明細書
【特許文献９】米国特許第６，６７５，５０５号明細書
【特許文献１０】米国特許第７，０４０，０４３号明細書
【特許文献１１】米国特許第５，７６８，８０９号明細書
【発明の概要】
【発明が解決しようとする課題】
【００１７】
（発明の概要と目的）
従って、上記に照らして、また、本発明が完全に記述される場合に明らかになる他の理由のために、改良された取り付け具、係止方法、ならびに摩擦クリートと靴取り付けレセプタクルとの間の装置を提供することが、本発明の１つの目的である。
【００１８】
運動靴に使用する、改良されたクリートおよびそのクリートのためのレセプタクルを提供し、該組み合わせを採用する運動靴を提供することが、本発明の別の目的である。
【００１９】
本発明のさらなる目的は、運動靴のための改良された摩擦クリートを提供することである。
【００２０】
本発明のなおもさらなる目的は、運動靴に取り付けられ摩擦クリートを受け入れるように適合される改良されたレセプタクルを提供することである。
【００２１】
本発明の他の目的は、組み合わせにおいて、摩擦要素を受け入れるための改良されたレセプタクルと組み合わせた運動靴を提供することである。
【００２２】
単独であるいは組み合わせにおいて、クリートおよびレセプタクルの長手方向の輪郭の最小化を可能にするように構成される、クリートとレセプタクルとの間の取り付け構成を提供することが、また、本発明の目的である。
【００２３】
本発明の別の目的は、単独であるいは組み合わせにおいて、クリートおよびレセプタクルの長手方向の輪郭の最小化を可能にするように構成されるクリートとレセプタクルとの間の係止構成を提供することである。
【００２４】
摩擦クリートとレセプタクルとの間の、取り付け具と係止装置と方法とを提供することが、本発明の別の目的であり、レセプタクルの長手方向の寸法が最小化され得る。
【００２５】
クリートとレセプタクルとの間の、複数の位置決め的に同期された係止装置および方法を提供し、クリートの所定の回転位置における確かな係止を保証することが、本発明の別の目的である。
【００２６】
本発明のさらなる目的は、クリートがレセプタクル内の所望の位置に挿入されると、クリートとレセプタクルとの間の係止装置および方法を提供し、クリートの装着者に確かな人間的に知覚可能なフィードバックを提供することである。
【課題を解決するための手段】
【００２７】
前述の目的は、個別にあるいは組み合わせにおいて達成される。本明細書に添付される特許請求の範囲によって明白に必要とされない限り、本発明が、組み合わされるべき該目的のうちの２つ以上を必要とすると解釈されることは意図されていない。
【００２８】
上記の目的を心に留めて、本発明の１つの局面によると、レセプタクルは５ｍｍ以下の全高を有して、好ましくは約３ｍｍあるいは４ｍｍの全高を有して提供される。本発明の１つの実施形態において、摩擦クリートのための取り付け構造は、クリート取り付け軸の周りに集中してクリートハブから上方に突き出る接続ステムと、ステムの遠位端から半径方向に延びる、第１および第２の１８０°離れた比較的薄い取り付けフランジとを含む。レセプタクルのキャビティあるいはソケットは、遠位端壁を有する基部から下方に突き出る、中空の概して円筒形のボスによって、レセプタクル取り付け軸の周りに集中的に画定され、遠位端壁は、同軸配向のクリートおよびレセプタクル取り付け軸との挿入角の配向においてクリートステムがキャビティの中に挿入されると、クリート取り付けフランジの通過を可能にするように輪郭が付けられるアパーチャを有する。各取り付けフランジの底面およびボスの遠位端壁の内面のそれぞれの区画は、取り付け軸の周りの、キャビティ中のフランジの回転に応答して、フランジとキャビティの近位端壁および遠位端壁との間に、増加的に強くなる摩擦あるいは干渉フィットが生成されるように、取り付け軸の周りに、対応して円弧状に斜面が形成されるか、あるいは傾斜される。回転が続くと、各フランジは、レセプタクルに対するクリートの最終の角度のあるいは回転の配向を画定するキャビティ中のそれぞれの回転ストップ部材に接触し、その位置において、クリートは、本明細書に記述される方法によって、レセプタクル中に係止される。フランジとキャビティの端壁との間の干渉フィットは、フランジの想定外の回転に対抗し、それ故、第１の係止機能をレセプタクル中のクリートに提供する。
【００２９】
さらなる係止が、レセプタクルキャビティから半径方向外側に向かってもたらされる。具体的には、角度的には１８０°離れた２つのクリート係止構造が、ステムから半径方向に離れ、取り付けフランジの間に角度的に挟みこまれた位置において、クリートハブから上方に突き出る。各クリート係止構造の半径方向内側に面する面は、２つの凹状のくぼみによって離れた、３つの角度的には連続した凸状のリッジを有する。リッジおよびくぼみは、クリート係止構造の縦の高さあるいは長さを軸方向に延ばす。角度的にまた１８０°離れた２つのレセプタクル係止クラスタが、遠位端壁における輪郭付けられた開口部の間に角度的に挟み込まれて、円筒状のボスの外壁上に円周方向に延びている。各レセプタクル係止クラスタの半径方向外側に向かって面する面は、４つの係止歯によって境界を定められた、３つの角度的に連続した凹状のくぼみを有する。これらの歯およびくぼみは、レセプタクルボスの外面の全体の縦の高さあるいは長さを軸方向に延ばす。係止構造および係止クラスタは、これらのリッジおよび歯が角度的に整列された場合、各クリート係止構造のリッジが、対応するレセプタクル係止クラスタの歯と半径方向に干渉するように、大きさが決められ配向されている。同様に、係止構造あるいは係止クラスタのリッジあるいは歯が、対応する係止クラスタあるいは係止構造のくぼみと角度的に整列されると、隣接する干渉リッジあるいは歯によって、クリートの想定外の回転が制限されるように、リッジあるいは歯は整列されたくぼみの中に延びる。
【００３０】
各クリート係止構造の上面は、角度位置の関数として、ハブに向かって下方に斜面が形成されて、取り付け軸の周りに湾曲する、上方向に面する円弧状の傾斜面を画定する。クリートステムが、クリートのインストールの間にレセプタクルソケットの中で回転されるとき、クリート係止構造の最上部区分の傾斜区画は、レセプタクルの円弧状の面区分に対して徐々に圧縮され、レセプタクル中のクリートの力フィットの締め付けをもたらす。
【００３１】
クリートハブの上面は、１８０°だけ互いに離され、ステムとそれぞれのクリート係止構造との間の円弧状空間においてクリートステムの周りに同軸に配置された、２つの浅い上方向に延びる螺旋状の傾斜区画を提供される。レセプタクル上のボスの端壁の底面は、１８０°だけ互いに離され、レセプタクル係止構造の間の角度の位置においてレセプタクル軸の周りに同軸に配置された、２つの対応する浅い下方向に延びる螺旋状の傾斜区画を有する。クリートステムがレセプタクルキャビティ中で回転されると、徐々に増加する摩擦あるいは干渉の係合を提供する角度のある界面において、整列された円弧状の傾斜は互いに沿ってすべるように、クリート上の傾斜の半径方向の位置は、レセプタクル上のそれぞれの傾斜にそれらを整列させる。それぞれの半径方向に延びる肩において、傾斜は各々終端し、これらの肩は、角度方向に当接し、レセプタクルソケットに対するクリートステムの最終の角度位置においてさらなる確かな回転のストップとして働くように配置される。
【００３２】
本発明において、クリートステムは、なだらかな軸方向の挿入が回転によってもたらされるねじの切られた係合とは違って、レセプタクル中のクリートステムの回転の前に、レセプタクルキャビティ中に完全に軸方向に挿入される。ステムおよびフランジがキャビティ内で回転されるとき、各クリート係止構造の連続するリッジの軸方向の全体の長さは、レセプタクル係止クラスタの連続する歯の軸方向の全体の長さを過ぎて、段階的に、角度的に強制される。始めに一度に１つのリッジ、そして２つ、最終的に３つであり、この時点で、クリートは、レセプタクル内の最終の角度位置にあり、各係止構造／クラスタのリッジおよび歯が対面する係止クラスタ／構造のくぼみの中に存在する。各ステップにおいて、装着者は触覚の指標と可聴の「クリック」の指標の両方を受け取る。加えて、各ステップの間により多くのリッジおよび歯が係合されるので、そのステップに必要な回転の力は大きい。結果として、クリートが部分的にあるいは全体的に挿入される場合、装着者は即座に気付かされる。２対の係合された係止構造およびクラスタがあるので、６つのリッジおよび歯が、最終の角度位置において係合され、強い確実な回転の係止を提供する。
【００３３】
互いに半径方向に面する代わりに、リッジ／歯およびくぼみは、詳細に本明細書に記述されるように、縦方向あるいは軸方向において互いに面し係合するように配置され得る。
【００３４】
好ましい実施形態は、クリートステム上に角度対称に配置される２つの取り付けフランジを利用しているが、本明細書に記述されるように、ただ１つのフランジあるいは３つ以上のフランジがまた使用され得ることを理解すべきである。
【００３５】
取り付けフランジは、縦寸法において「薄い」と記述されている。｛薄い」によって、その最も厚い部分におけるテーパの付いたフランジは、１．５ｍｍ以下のオーダの縦寸法を有する。フランジをそのような薄さに作ることにより失われた撓みへの抵抗は、本明細書に記述される追加の係止構成によって、より大きく補償され、また、衝撃がレセプタクルのボスに直接加えられる代わりに、横方向の衝撃を吸収する、ステムとクリート係止構造との間の小さな円環状の空間によって、より大きく補償される。薄いフランジの第１の利益は、レセプタクルの縦寸法を減少できる能力である。
【００３６】
上の組み合わせに記述された特徴は、また、独立して使用され得る。例えば、クリート係止構造およびレセプタクル係止クラスタは、ねじの切られたステムおよびソケットを含む任意のタイプの取り付け構成に使用され得る。同様に、クリートおよびレセプタクル上の相互に係合された螺旋状の傾斜によって提供される干渉フィットは、ねじの切られたステムおよびねじの切られたソケットに使用され得る。
【００３７】
本発明の上記の、およびなおもさらなる特徴ならびに利点が、本明細書に述べられる定義、記述および本発明の具体的実施形態の記述的図面を考察して明白になるであろう。以下の発明の詳細な記述において、様々な図面における同様な参照番号は、同様な構成部品および要素を示すように利用され、同様な用語は、いくつかの実施形態において、同様なあるいは対応する要素を参照する。これらの記述は、本発明の具体的な詳細に入る一方で、以下の記述に照らして、変形があり得ること、また、存在することが、当業者には明らかであろうことを理解すべきである。
本発明は、例えば、以下を提供する。
（項目１）
摩擦クリートを靴に交換可能に取り付けるレセプタクルであって、
靴のソールに固定されるように適合される基部であって、底面と長手方向に延びるレセプタクル取り付け軸を有する、基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、クリートの取り付けフランジ構造が該アパーチャを通って軸方向に通過させられ、該フランジ構造が該レセプタクル取り付け軸の周りに該レセプタクルに対する角度係止配向に該キャビティ中で角度方向に回転されるように、該レセプタクルに対して角度方向の挿入配向において該キャビティに受け入れられることを可能にするように構成され、該端壁は、該角度係止配向において、該キャビティからの該取り付けフランジ構造の軸方向の除去を防ぐようにさらに構成される、遠位端壁と
を含み、
該レセプタクル取り付け軸に平行な寸法における厚さは、５ミリメートル以下である、レセプタクル。
（項目２）
上記遠位端壁の上記外部面は、上記レセプタクル取り付け軸の周りの角度位置の関数として、該外部面から徐々に突き出る少なくとも１つの円弧状の外部傾斜区画を有し、上記クリートに接触するための角度のある界面を提供し、上記ボス傾斜区画は最大におよび最小に突き出る角度的に変位する端を有する、項目１に記載のレセプタクル。
（項目３）
上記端壁の上記内部面は、上記レセプタクル取り付け軸の周りの角度位置の関数として、該内部から上記キャビティ面の中に徐々に突き出る少なくとも１つの円弧状の内部傾斜区画を有し、上記基部の軸の周りの角度位置の関数として、該キャビティの少なくとも一部分の上記長手方向の深さを変化する、項目２に記載のレセプタクル。
（項目４）
上記外部傾斜区画は、上記レセプタクル取り付け軸の周りに曲率を有する、項目２に記載のレセプタクル。
（項目５）
上記クリート上の係止構造と協働するための、角度的に延びる一連の係止歯をさらに含む、項目２に記載のレセプタクル。
（項目６）
上記ボスは、半径方向外側に面する面を有する周辺壁を有し、上記角度的に延びる一連の係止歯は、該周辺壁から半径方向外側に突き出る、項目５に記載のレセプタクル。
（項目７）
上記一連の係止歯は、角度的に延び、かつ角度的に離れている複数のクラスタの中に配置され、各クラスタは複数の係止歯を含む、項目６に記載のレセプタクル。
（項目８）
上記アパーチャは、上記レセプタクルに対して角度配向のうちの限定された数において上記クリートを受け入れるように構成され、上記クラスタは角度的に位置決めされて、該限定された数の角度配向以外の該レセプタクルに対する角度配向においてのみ、該クリート上の係止リッジを係合する、項目７に記載のレセプタクル。
（項目９）
上記一連の係止歯は、継ぎ目のない配列で連続的に延びる、項目５に記載のレセプタクル。
（項目１０）
上記係止歯は、上記基部中に画定されて、上記クリートに向かって下方に面する、項目５に記載のレセプタクル。
（項目１１）
上記ボスは、上記キャビティに面する内部面を有する近位端壁を有し、クリートの上記取り付けフランジ構造上の係止構造を係合するように適合された該近位端壁の該内部面上に配置された係止クラスタをさらに含む、項目２に記載のレセプタクル。
（項目１２）
上記クリートの上記フランジ構造上の係止手段を係合するように適合された上記キャビティに配置された係止構造をさらに含む、項目２に記載のレセプタクル。
（項目１３）
上記レセプタクル取り付け軸への寸法において上記キャビティの最長の部分における該キャビティの長さは、１．６ｍｍより大きくない、項目１に記載のレセプタクル。
（項目１４）
上記レセプタクル取り付け軸に平行な寸法における上記レセプタクルの最大の厚さは、４ミリメートル以下である、項目１に記載のレセプタクル。
（項目１５）
アパーチャを通る上記端壁の輪郭は、上記摩擦クリートの上記取り付けフランジ構造の周辺に実質的に整合する、項目１に記載のレセプタクル。
（項目１６）
上記レセプタクルは、上記クリートを所定の角度係止配向に係止するように配置され、該レセプタクルは、該所定の角度係止配向における上記角度挿入配向から該レセプタクルに対する該クリートの回転を制限するために、上記ボス端壁の上記外部面上のストップ肩をさらに含む、項目１に記載のレセプタクル。
（項目１７）
上記所定の角度係止配向における上記角度挿入配向から上記レセプタクルに対して上記クリートの回転を制限するために、上記キャビティ内に配置されたストップ部材をさらに含む、項目１６に記載のレセプタクル。
（項目１８）
上記所定の角度係止配向における上記角度挿入配向から上記レセプタクルに対する上記クリートの回転を制限するために、上記ボスから半径方向に離れて基部上に配置されたストップ部材をさらに含む、項目１７に記載のレセプタクル。
（項目１９）
摩擦クリートを靴に交換可能に取り付けるレセプタクルであって、
靴のソールに固定されるように適合される基部であって、底面と長手方向に延びるレセプタクル取り付け軸とを有する、基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、クリートの取り付けフランジ構造が該アパーチャを通って軸方向に通過させられ、該フランジ構造が該レセプタクル取り付け軸の周りに該レセプタクルに対して角度係止配向に該キャビティ中で角度方向に回転されるように、該レセプタクルに対する角度方向の挿入配向において該キャビティに受け入れられることを可能にするように構成され、該端壁は、該角度係止配向において、該キャビティからの該取り付けフランジ構造の軸方向の除去を防ぐようにさらに構成される、遠位端壁と
を含み、
該遠位端壁の該外部面は、少なくとも１つの円弧状の外部傾斜区画を有し、該少なくとも１つの円弧状の外部傾斜区画は、該レセプタクル取り付け軸の周りの角度位置の関数として概して該外部面から突き出て、該クリートと接触するための角度のある界面を提供し、該ボス傾斜区画は、最大および最小に突き出る角度的に変位される端を有する、レセプタクル。
（項目２０）
上記ボスは、半径方向外側に面する面を有する周辺壁を有し、角度的に延び、くぼみと交互に、該周辺壁から半径方向外側に突き出る一連の係止歯をさらに含む、項目１９に記載のレセプタクル。
（項目２１）
上記一連の係止歯は、複数の角度的に延びて角度的に離れたクラスタ中に配置されており、各クラスタは複数の係止歯を含む、項目２０に記載のレセプタクル。
（項目２２）
上記アパーチャは、上記レセプタクルに対して角度配向のうちの限定された数において上記クリートを受け入れるように構成され、上記クラスタは角度的に位置決めされて、該限定された数の角度配向以外の該レセプタクルに対する角度配向においてのみ、該クリート上の係止リッジを係合する、項目２１に記載のレセプタクル。
（項目２３）
上記一連の係止歯は、上記周辺壁の全体の円周の周りに連続して延びる、項目２０に記載のレセプタクル。
（項目２４）
上記レセプタクル取り付け軸の寸法における上記キャビティの上記厚さは、５ミリメートル以下である、項目１に記載のレセプタクル。
（項目２５）
上記レセプタクルは、上記クリートを所定の角度係止配向に係止するように配置され、該レセプタクルは、該レセプタクルに対する該クリートの回転を制限するために、上記レセプタクル取り付け軸から半径方向に離された異なる位置において配置された、複数の離れたストップ肩をさらに含み、該複数のストップ肩は位置決め的に同期されており、正確に該角度係止配向における該クリートのさらなる回転を防ぐ、項目１に記載のレセプタクル。
（項目２６）
レセプタクル摩擦クリートであって、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
靴に取り付けられたレセプタクルにクリートを取り外し可能に取り付けるための取り付け構造であって、該レセプタクルは
靴のソールに固定されるように適合される基部であって、底面および長手方向に延びるレセプタクル取り付け軸を有する、基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、クリートの取り付けフランジ構造が該アパーチャを通って軸方向に通過させられ、該フランジ構造が該レセプタクル取り付け軸の周りに該レセプタクルに対して角度係止配向に該キャビティ中で角度方向に回転させられるように、該レセプタクルに対する角度方向の挿入配向において該キャビティに受け入れられることを可能にするように構成されており、該端壁は、該角度係止配向において、該キャビティからの該取り付けフランジ構造の軸方向の除去を防ぐようにさらに構成される、遠位端壁と
を含むタイプであり、
該レセプタクルの長手方向の全寸法は、４ミリメートル以下である、
取り付け構造と
を含む、レセプタクル摩擦クリート。
（項目２７）
レセプタクル摩擦クリートであって、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
靴に取り付けられたレセプタクルにクリートを取り外し可能に取り付けるための取り付け構造であって、該レセプタクルは
靴のソールに固定されるように適合される基部であって、底面と長手方向に延びるレセプタクル取り付け軸を有する、基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、クリートの取り付けフランジ構造が該アパーチャを通って軸方向に通過させられ、該フランジ構造が該レセプタクル取り付け軸の周りに該レセプタクルに対して角度係止配向に該キャビティ中で角度方向に回転させられるように、該レセプタクルに対する角度方向の挿入配向において該キャビティに受け入れられることを可能にするように構成されており、該端壁は、該角度係止配向において、該キャビティからの該取り付けフランジ構造の軸方向の除去を防ぐようにさらに構成される、遠位端壁と
を含むタイプであり、
該キャビティの長手方向寸法は、その最長の位置において１．６ミリメートル以下である、
取り付け構造と
を含む、レセプタクル摩擦クリート。
（項目２８）
靴取り付けレセプタクルに交換可能に取り付け可能な摩擦クリートのための取り付けおよび係止システムであって、該システムは、
該摩擦システムが、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
ハブの上面における近位端と、遠位端とを有する少なくとも１つのステムであって、該ステムは、該クリート取り付け軸の周りに実質的に集中している該上面から軸方向に上方に延びる、ステムと、
取り付けフランジ構造であって、該取り付けフランジ構造は、所定の横方向の周辺構成を有し、該ステムの該遠位端に隣接して該ステムから概して半径方向に延びる少なくとも１つのフランジ部材を含む、取り付けフランジ構造と、
クリート係止構造と、
該クリート取り付け軸の周りの角度位置の関数として、該ハブの上面から徐々に突き出て、該レセプタクルと接触するための角度のある界面を提供する、少なくとも１つの円弧状のハブ傾斜区画であって、該ハブ傾斜区画は、最大および最小に盛り上がった角度的に変位される端を有する、ハブ傾斜区画と、
を含む、摩擦クリートと、
該レセプタクルが、
靴のソールに固定されるように適合され、底面と長手方向に延びるレセプタクル取り付け軸とを有する基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、該取り付けフランジ構造が、該アパーチャを通って軸方向に通過させられ、該フランジ構造が該一致する軸の周りに該レセプタクルに対して角度係止配向に該キャビティ中で角度方向に回転させられるように、該クリート取り付け軸および該レセプタクル取り付け軸が該レセプタクルに対して角度挿入配向において一致して、該キャビティに受け入れられることを可能にし、該端壁は、該角度係止配向において、該キャビティからの該取り付けフランジ構造の軸方向の除去を防ぐようにさらに構成される、遠位端壁と、
該クリート取り付け軸の周りの角度位置の関数として、該ボス端壁の外部面から徐々に突き出る、少なくとも１つの円弧状のレセプタクル傾斜区画であって、該レセプタクル傾斜区画は、該フランジ構造が、該角度挿入配向から該角度係止配向に該キャビティ中で回転させられるとき、増加する摩擦フィット係合において該ハブ傾斜区画と整列され当接するように位置決めされ、該角度のある界面を提供し、該ハブ傾斜区画は最大および最小に盛り上がった角度的に変位される端を有する、レセプタクル傾斜区画と、
該クリート係止構造を該角度係止配向に係合するように位置決めされ、該クリートと該レセプタクルとの間の想定外の角度的な回転を防ぐ、レセプタクル係止構造と
を含む、レセプタクルと
を含む、システム。
（項目２９）
上記取り付けフランジ構造は、上記ステムから半径方向外側に延びる少なくとも１つのフランジ部材を含み、上記クリート取り付け軸の周りの角度位置の関数として、上記フランジ部材の上記長手方向の厚さを増加する斜面を有する上記ハブから離されて該ハブに面する下部面を有し、
上記ボス遠位端壁の上記内部面は、該フランジ部材が上記キャビティ中で上記角度係止配向に向かって回転させられるとき、該フランジ部材の該下部面に面し、かつ、該フランジ部材に当接し、該フランジ部材の該下部面と該内部面とは、該フランジ部材が上記角度係止配向に向かって回転させられるとき、増加するフィットに、より密接に係合されるように、該内部面は、上記レセプタクル取り付け軸の周りの角度位置の関数として増加する斜面を有する、項目２８に記載のシステム。
（項目３０）
上記レセプタクル取り付け軸に平行な寸法における上記レセプタクルの上記最大の厚さは、４ミリメートル以下である、項目２９に記載のシステム。
（項目３１）
上記クリート取り付け軸に平行な寸法における上記フランジ部材の上記厚さは、１．６ミリメートル以下である、項目３０に記載のシステム。
（項目３２）
上記クリート係止構造は、上記ステムから半径方向に離れた関係において上記基部から上方に延びて、該ステムに面するくぼみによって離された少なくとも２つの凸状のリッジを含む構造を含み、
上記レセプタクル係止構造は、上記ボスから半径方向外側に突き出る一連の係止歯を含み、該歯は、該リッジと角度的に整列されると、該リッジの間の該くぼみの中に突き出るように構成され位置決めされている、項目２８に記載のシステム。
（項目３３）
上記クリート係止構造は、上記取り付けフランジ構造から半径方向に離された関係において上記ステムから上方に延び、該ステムに面するくぼみによって離された少なくとも２つの凸状のリッジを含む構造を含み、
該クリート係止構造は、上記ボスの上記近位端から上記キャビティの中で下側方向に突き出る一連の係止歯を含み、該係止歯は、該リッジと角度的に整列されると、上記リッジの間の該くぼみの中に突き出るように構成され位置決めされている、項目２８に記載のシステム。
（項目３４）
上記レセプタクルは、所定の角度係止配向において上記クリートを係止するように配置されており、
該クリートは、上記クリート取り付け軸から半径方向に離された異なる位置において、複数の離れたクリート角度ストップ肩をさらに含み、
該レセプタクルは、該クリート取り付け軸から半径方向に離された異なる位置における複数の離れたレセプタクル角度ストップ肩を含み、
該クリートストップ肩の各々は、上記角度係止配向において、該レセプタクルストップ肩の対応する１つに当接するように位置決めされ、該レセプタクルに対する挿入方向の該クリートのさらなる回転を防ぐ、項目２８に記載のシステム。
（項目３５）
上記取り付けフランジ構造は、上記クリート取り付け軸の周りの角度的に離された位置において、上記ステムの上記遠位端に近接する該ステムから概して半径方向に延びる複数のフランジ部材を含み、
上記貫通アパーチャは、該複数のフランジ部材に整合し、該フランジ部材が、該キャビティ中で上記一致する軸の周りに上記レセプタクルに対して該角度係止配向に同時に角度的に回転され得るように、該複数のフランジ部材が軸方向にアパーチャを通って通過され、上記角度挿入配向において該キャビティ中に受け入れられることを可能にするように輪郭が付けられている、項目２８に記載のシステム。
（項目３６）
上記所定の角度係止配向において上記レセプタクルに対する上記角度挿入配向からの上記クリートの回転を制限するために、上記キャビティ内に配置されたストップ部材をさらに含む、項目２８に記載のシステム。
（項目３７）
靴取り付けレセプタクルに交換可能に取り付け可能な摩擦クリートのための取り付けおよび係止システムであって、該システムは、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
該ハブの上面における近位端と、遠位端とを有する少なくとも１つのステムであって、該ステムは、該クリート取り付け軸の周りに実質的に集中している該上面から軸方向に上方に延びる、ステムと、
所定の横方向の周辺構成を有し、該ステムの該遠位端に隣接して該ステムから概して半径方向に延びるフランジ部材であって、該クリート取り付け軸に平行な寸法における該フランジ部材の厚さは、１．６ミリメートル以下である、フランジ部材と、
クリート係止構造と
を含む摩擦クリートと、
靴のソールに固定されるように適合され、底面と長手方向に延びるレセプタクル取り付け軸とを有する基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、該取り付けフランジ構造が、該アパーチャを通って軸方向に通過させられ、該フランジ構造が該一致する軸の周りに該レセプタクルに対して角度係止配向に該キャビティ中で角度方向に回転させられるように、該クリート取り付け軸および該レセプタクル取り付け軸が該レセプタクルに対して角度挿入配向において一致して、該キャビティに受け入れられることを可能にし、該端壁は、該角度係止配向において、該キャビティからの該取り付けフランジ構造の軸方向の除去を防ぐようにさらに構成される、遠位端壁と、
該クリート係止構造を該角度係止配向に係合して、該クリートと該レセプタクルとの間の想定外の角度回転を防ぐ、レセプタクル係止構造と
を含むレセプタクルと
を含み、
該レセプタクル取り付け軸に平行な寸法における該レセプタクルの該最大の厚さは、４ミリメートル以下である、システム。
（項目３８）
靴取り付けレセプタクルに交換可能に取り付け可能な摩擦クリートのための取り付けおよび係止システムであって、該システムは、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
複数のステムであって、各ステムは該ハブの該上面における近位端を有し、該ステムは、該クリート取り付け軸の周りの異なる角度位置において位置決めされ、該クリート取り付け軸に実質的に概して平行に該上面から軸方向に上方に延びる、ステムと、
所定の横周辺部を有し、それぞれのステムの該遠位端から概して半径方向に延びる複数の取り付けフランジ部材と、
クリート係止構造と、
該クリート取り付け軸の周りの角度位置の関数として、該ハブ上面から徐々に延びて、該レセプタクルと接触するための角度のある界面を提供する少なくとも１つの円弧状のハブ傾斜区画であって、該ハブ傾斜区画は最大および最小に盛り上がった角度的に変位された端を有するハブ傾斜区画と
を含む、摩擦クリートと、
靴のソールに固定されるように適合され、底面と長手方向に延びるレセプタクル取り付け軸を有する基部と、
該底面に近接する、遠位端と近位端とを有するボスであって、該ボスは、該基部から概して長手方向に延び、該レセプタクル取り付け軸の周りに概して下方向に延びる中空の内部キャビティを有する、ボスと、
内部面と外部面と貫通アパーチャとを有する該ボス上の遠位端壁であって、該アパーチャは、該取り付けフランジ部材が、該アパーチャを通って軸方向に通過させられ、該フランジ構造が該一致する軸の周りに該レセプタクルに対して角度係止配向に該キャビティ中で角度方向に回転させられるように、該クリート取り付け軸および該レセプタクル取り付け軸が該レセプタクルに対して角度挿入配向において一致して、該キャビティに受け入れられることを可能にし、該端壁は、該角度係止配向において、該キャビティからの該取り付けフランジ構造の軸方向の除去を防ぐようにさらに構成される、遠位端壁と、
該クリート取り付け軸の周りの角度位置の関数として、該ボス端壁の外部面から徐々に突き出る、少なくとも１つの円弧状のレセプタクル傾斜区画であって、該レセプタクル傾斜区画は、該フランジ構造が、該角度挿入配向から該角度係止配向に該キャビティ中で回転させられると、増加する摩擦フィット係合において該クリート傾斜区画と整列され当接するように位置決めされ、該角度のある界面を提供し、該ハブ傾斜区画は最大および最小に盛り上がった角度的に変位される端を有する、レセプタクル傾斜区画と、
該クリート係止構造を該角度係止配向に係合するように位置決めされ、該クリートと該レセプタクルとの間の想定外の角度的な回転を防ぐ、レセプタクル係止構造と
を含む、レセプタクルと
を含む、システム。
（項目３９）
上記取り付けフランジ部材は、上記クリート取り付け軸の周りの角度位置の関数として、該フランジ部材の上記長手方向の厚さを増加する斜面を有する該ハブから離され該ハブに面する下部面を各々有し、
上記ボス遠位端壁の上記内部面は、該フランジ部材が上記キャビティ内で上記角度係止配向に向かって回転させられると、各フランジ部材の該下部面に面し、当接し、該内部面は、該フランジ部材が該角度係止配向に向かって回転させられると、該フランジ部材の該下部面および該内部面区画が増加フィットにおいてより密接に係合するように、該レセプタクル取り付け軸の周りの角度位置の関数として増加する各フランジ部材に面する斜面のある区画を有する、項目３８に記載のシステム。
（項目４０）
上記レセプタクル取り付け軸に平行な寸法における上記レセプタクルの上記最大の厚さは、４ミリメートル以下である、項目３９に記載のシステム。
（項目４１）
上記クリート取り付け軸に平行な寸法における上記フランジ部材の上記最大の厚さは、１．６ミリメートル以下である、項目４０に記載のシステム。
（項目４２）
靴取り付けレセプタクルに交換可能に取り付け可能な摩擦クリートのための取り付けおよび係止システムであって、該システムは、
上面および底面と、該上面および該底面に実質的に垂直に延びる、長手方向に延びるクリート取り付け軸とを有するハブと、
該底面から概して下側方向に突き出る少なくとも１つの地面係合摩擦要素と、
該上面から上方への延長部を有するステムと、
該クリート取り付け軸の周りの角度位置の関数として、該ハブ上面から徐々に延びて、該レセプタクルと接触するための角度のある界面を提供する少なくとも１つの円弧状のハブ傾斜区画であって、該ハブ傾斜区画は最大および最小に盛り上がった角度的に変位された端を有する、少なくとも１つの円弧状のハブ傾斜区画と
を含む、摩擦クリートと、
靴のソールに固定されるように適合され、底面と長手方向に延びるレセプタクル取り付け軸を有する基部と、
該ステムを受け入れ、該ステムに取り付けるためのキャビティと、
該キャビティを囲む該レセプタクル上の下方に面する壁であって、該キャビティは、該クリート取り付け軸の周りの角度位置の関数として、徐々に下方に突き出る少なくとも１つの円弧状のレセプタクル傾斜区画を有し、該レセプタクル傾斜は、該ステムが該キャビティ中で、挿入方向に回転させられると、増加する摩擦フィット係合において、該ハブ傾斜区画と整列され該ハブ傾斜区画に当接するように位置決めされて、角度のある界面を提供する、下方に面する壁と
を含む摩擦クリートと
を含む、システム。
（項目４３）
靴取り付けレセプタクルに取り付け、靴取り付けレセプタクルを係止する摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該ハブの該上面における近位端と、遠位端とを有する少なくとも１つのステムであって、該ステムは、該クリート取り付け軸の周りに実質的に集中して該上面から軸方向上方に延びる、ステムと、
取り付けフランジ構造であって、該取り付けフランジ構造は、該レセプタクルに受け入れられるように構成され、所定の横周辺部構成を有し、該ステムの該遠位端に隣接して、該ステムから概して半径方向に延びる、少なくとも１つのフランジ部材を含む、取り付けフランジ構造と、
噛み合い構造を該レセプタクル中に係合し、該レセプタクル中の該クリートの、係止角度配向からの想定外の回転を防ぐためのクリート係止構造と、
該クリート取り付け軸の周りの角度位置の関数として、該ハブ上面から徐々に突き出て、該レセプタクルと接触するための角度のある界面を提供する少なくとも１つの円弧状のハブ傾斜区画であって、該ハブ傾斜区画は最大および最小に盛り上がった角度的に変位された端を有する、少なくとも１つの円弧状のハブ傾斜区画と
を含む、摩擦クリート。
（項目４４）
上記取り付けフランジ構造は、少なくとも１つのフランジ部材を含み、該フランジ部材は、上記ステムから半径方向外側に延び、斜面を有する上記ハブから離され、該ハブに面する下部面を有し、該斜面は、該クリート取り付け軸の周りの角度位置の関数として、該フランジ部材の長手方向の厚さを増加し、該下部面は、該フランジ部材が上記レセプタクル中で回転させられると、該レセプタクルの面との増加する摩擦フィットにおいて、当接し、より密接に係合するように構成されている、項目４３に記載のクリート。
（項目４５）
上記クリート取り付け軸に平行な寸法における上記フランジ部材の厚さは、１．６ミリメートル以下である、項目４４に記載のクリート。
（項目４６）
上記クリート係止構造は、上記ステムから半径方向に離れた関係において、上記基部から上方向に延び、該ステムの面するくぼみによって離された、少なくとも２つの凸状のリッジを含む、項目４３に記載のクリート。
（項目４７）
上記クリート係止構造は、上記取り付けフランジから上方に延びる、項目４３に記載のクリート。
（項目４８）
上記レセプタクルは、上記クリートを所定の角度係止配向に係止するように配置され、該クリートは、上記クリート取り付け軸から異なる半径方向に離れた位置に配置される複数の離れたクリート角度ストップ肩をさらに含み、該クリートストップ肩の各々は、該角度係止配向において、対応するレセプタクルストップ肩に当接するように位置決めされており、該レセプタクルに対する上記挿入方向への該クリートのさらなる回転を防ぐ、項目４３に記載のクリート。
（項目４９）
上記取り付けフランジ構造は、複数のフランジ部材を含み、該複数のフランジ部材は、上記クリート取り付け軸の周りに角度的に離された位置において、上記ステムの上記遠位端に隣接して該ステムから概して半径方向に延びる、項目４３に記載のクリート。
（項目５０）
靴取り付けレセプタクルに取り付け、該靴取り付けレセプタクルと係合するための摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該ハブの該上面における近位端と、遠位端とを有する少なくとも１つのステムであって、該ステムは、該クリート取り付け軸の周りに実質的に集中して該上面から軸方向上方に延びる、ステムと、
所定の横周辺部構成を有し、該ステムの該遠位端に近接して、該ステムから概して半径方向に延びるフランジ部材であって、該クリート取り付け軸に平行な寸法における該フランジ部材の厚さは、１．６ミリメートル以下である、フランジ部材と、
噛み合い構造を該レセプタクルに係合するためのクリート係止構造であって、係止角度配向からの該レセプタクル中の該クリートの想定外の回転を防ぐ、クリート係止構造と
を含む、摩擦クリート。
（項目５１）
靴取り付けレセプタクルに取り付け、該靴取り付けレセプタクルと係合するための摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該ハブの該上面における近位端と、遠位端とを各々有する複数のステムであって、該ステムは、該クリート取り付け軸の周りの異なる角度位置に配置されており、該クリート取り付け軸に実質的に概して平行に該上面から軸方向上方に延びる、ステムと、
所定の横周辺部を有し、それぞれのステムの該遠位端から概して半径方向に延びる、複数の取り付けフランジ部材と、
噛み合い構造を該レセプタクルに係合するためのクリート係止構造であって、係止角度配向からの該レセプタクル中の該クリートの想定外の回転を防ぐ、クリート係止構造と
を含む、摩擦クリート。
（項目５２）
上記取り付けフランジ部材は、斜面を有する上記ハブから離れて、該ハブに面する下部面を各々有し、該斜面は、該フランジ部材が該角度係止配向に向かって回転させられると、上記クリート取り付け軸の周りの角度位置の関数として、該フランジ部材の上記長手方向の厚さを増加し、該下部面は増加する摩擦フィットに接触し、より密接に増加する摩擦フィットに係合されるように構成されている、項目５１に記載のクリート。
（項目５３）
上記クリート取り付け軸に平行な寸法における上記フランジ部材の上記厚さは、１．６ミリメートル以下である、項目５２に記載のクリート。
（項目５４）
靴取り付けレセプタクルに取り付け、靴取り付けレセプタクルを係止する摩擦クリートであって、該クリートは、
上面および底面と、該上面および該底面に実質的に垂直に延びる、長手方向に延びるクリート取り付け軸とを有するハブと、
該底面から概して下方に突き出る、少なくとも１つの地面係合摩擦要素と、
該上面から上方への延長部を有するステムと、
該クリート取り付け軸の周りの角度位置の関数として、該ハブ上面から徐々に突き出る少なくとも１つの円弧状のレセプタクル傾斜区画であって、該レセプタクル傾斜区画は、該レセプタクルに接触するための傾斜のある界面を提供し、該ハブ傾斜区画は、最大および最小に盛り上がった角度的に変位される端を有する、レセプタクル傾斜区画と
を含む、摩擦クリート。
（項目５５）
靴取り付けレセプタクルの摩擦クリートに交換可能に取り付けて該摩擦クリートを係止する方法であって、該方法は、
クリートステムをレセプタクル中で回転して、該ステムをキャビティに取り付けることと、
角度のある界面において、クリート傾斜面と該キャビティの外に配置されるレセプタクル傾斜面とを当接することであって、それにより、クリートステム回転の関数として、徐々に該傾斜面をより強い当接に押し付けて、該クリートおよびレセプタクルの最終の角度配向において、該傾斜面の間に摩擦フィットを提供することと
を含む、方法。
（項目５６）
上記レセプタクルに対する上記最終の角度配向からの、上記クリートの想定外の回転を防ぐための係止係合を提供することをさらに含む、項目５５に記載の方法。
（項目５７）
靴取り付けレセプタクルの摩擦クリートに交換可能に取り付けて該摩擦クリートを係止する方法であって、該方法は、
クリートステムをレセプタクル中で回転して、該ステムをキャビティに取り付けることと、
該キャビティの外側の異なる半径方向に離された位置において、該クリートと該レセプタクルとの間に複数の回転ストップ係合を提供して、挿入方向における該クリートおよび該レセプタクルの最終角度配向への回転を制限することと
を含む、方法。
（項目５８）
上記最終角度配向からの、上記クリートの上記レセプタクルに対する想定外の回転を防ぐための係止係合を提供することをさらに含む、項目５５に記載の方法。
【図面の簡単な説明】
【００３８】
【図１】図１は、本発明の第１の実施形態に従ったクリートの上から見た透視図である。
【図２】図２は、図１のクリートの平面の上面図である。
【図３】図３は、図１のクリートの立面の前面図である。
【図４】図４は、図１のクリートの立面の側面図である。
【図５】図５は、図１のクリートの平面の底面図である。
【図６】図６は、図１のクリートを受け入れるための、本発明の第１の実施形態に従ったレセプタクルの平面の底面図である。
【図７】図７は、図６のレセプタクルの立面の前面図である。
【図８】図８は、図６のレセプタクルの立面の側面図である。
【図９】図９は、図６のレセプタクルの下側からの透視図である。
【図１０】図１０は、図６の１０−１０に沿って取られたレセプタクルの断面の前面図である。
【図１１】図１１は、図６の１１−１１の沿って取られたレセプタクルの断面の側面図である。
【図１２】図１２は、本発明の第２の実施形態に従ったレセプタクルの下側から見た透視図である。
【図１３】図１３は、図１２のレセプタクルの平面の底面図である。
【図１４】図１４は、図１２のレセプタクルを係合するための、本発明の第２の実施形態に従ったクリートの上側からの透視図である。
【図１５】図１５は、図１４のクリートの平面の上面図である。
【図１６】図１６は、図１４のクリートおよび図１２のレセプタクルの下側から見た展開された透視図である。
【図１７】図１７は、図１４のクリートおよび図１２のレセプタクルの上側から見た展開された透視図である。
【図１８】図１８は、本発明の第３の実施形態に従ったクリートの平面の上面図である。
【図１９】図１９は、図１８のクリートを受け入れるための、本発明の第３の実施形態に従ったレセプタクルの平面の底面図である。
【図２０】図２０は、本発明の第４の実施形態に従ったクリートの平面の上面図である。
【図２１】図２１は、図２０のクリートを受け入れるための、本発明の第４の実施形態に従ったレセプタクルの平面の底面図である。
【図２２】図２２は、本発明の第５の実施形態に従ったクリートの平面の上面図である。
【図２３】図２３は、図２２のクリートを受け入れるための、本発明の第５の実施系値亜に従ったレセプタクルの平面の底面図である。
【図２４】図２４は、本発明の第６の実施形態に従ったクリートの平面の上面図である。
【図２５】図２５は、図２４のクリートを受け入れるための、本発明の第６の実施形態に従ったレセプタクルの平面の底面図である。
【図２６】図２６は、本発明の第７の実施形態に従ったクリートの上側から見た透視図である。
【図２７】図２７は、図２６のクリートを受け入れるための、本発明の第７の実施形態に従ったレセプタクルの下側から見た透視図である。
【図２８】図２８は、本発明の第８の実施形態に従ったクリートの上側から見た透視図である。
【図２９】図２９は、本発明の第９の実施形態に従ったクリートの上側から見た透視図である。
【図３０Ａ】図３０Ａは、下側から見た展開された透視図であり、図２８のクリートを、そのクリートを受け入れるためのレセプタクルとの組み合わせにおいて示している。
【図３０Ｂ】図３０Ｂは、図３０Ａのレセプタクルの下側から見た透視図である。
【図３１】図３１は、本発明の第１０の実施形態に従ったクリートの平面の上面図亜である。
【図３２】図３２は、図３１のクリートの上側から見た透視図である。
【発明を実施するための形態】
【００３９】
（好ましい実施形態の記述）
以下に述べられる具体的な角度および直線状の寸法は、例示の構造の理解を援助する、特定の実施形態のための例示であり、これらの寸法が、本発明の範囲を限定すると解釈されるべきではない。
【００４０】
具体的に、図１〜１１および本明細書に開示された実施形態を参照すると、摩擦クリート１０は、上面１２と底面１３とを有するハブ１１を含む。ハブは、概して円形であるが、他にクリート取り付け軸Ａの周りに対称的にあるいは非対称的に構成され得る。地面係合摩擦要素１４は、ハブの周辺からあるいは底面から概して下側方向に延びる。特定の摩擦要素は本発明の部分を形成しなく、任意の数の配列あるいは配向における静的なあるいは動的な要素として提供され得ることを理解すべきである。図１〜５に例示された特定の実施形態において、等しい角度で離れてクリート軸Ａの周りに対称的である配列における６つの摩擦要素１４がある。
【００４１】
概して円筒状の接続ステム２０が、ハブ１１と一体化して成形され、近位端と遠位端とを含み得る。ステム２０は、上面１２からクリート取り付け軸Ａの周りに集中して上方に突き出る。２つの縦に薄い取り付けフランジ２３ａ、２３ｂが、ステム２０の遠位端において、１８０°離れた位置から概して半径方向に外側に延びる。各フランジは平坦な先端の縁２１を有し、クリートのレセプタクル内への挿入の間、軸Ａに実質的に平行に配向され、その軸の周りのクリートの回転の方向に角度的に面する。各フランジ２３ａ、２３ｂの上面は、ステム２０の遠位端と共平面である。各フランジの底面２５は、下方に、かつ先端の縁２１から角度的に後方向に発散し、軸Ａの周りに曲率を有するフランジ傾斜面を画定する。縦の空間は、フランジ底面２５とクリートハブ１１の上面１２との間に画定され、そのような空間は、フランジ面２５の発散の結果として、角度方向において縦方向に狭くなる。各フランジの後方縁は、好ましくは平坦であり軸Ａに平行である。フランジの側面は、平坦であり、一般には５°から７°の小さな角度で僅かに集中する。各フランジの半径方向の外側縁は、好ましくは円弧状である。ステム２０の周辺における各フランジの近位端は、約８０°のステムにおける角度をなす。例示された実施形態においては、フランジの最も厚い部分における縦の厚さは、約１．５ｍｍである。
【００４２】
２つの係止構造３０ａ、３０ｂがあり、１８０°だけ（中心上で）離れており、ハブ周辺に近接して、ハブ１１の上面１２から上方向に向かって直立している。各係止構造は、実質的に滑らかな円弧状の半径方向外側に面する表面３５、先端３６、後端３７および、クリート係止機能を提供するように働く、半径方向内側に面する波状の表面を含む。先端３６は、実質的に平面（つまり、平坦）であり、クリートの挿入の間、半径方向にかつ縦方向に延びる、角度的に回転の方向を面する表面である。後端３７は、円弧状であり、下に記述するように、リッジの部分を形成する。各係止構造は、７４°のオーダの角度の中で軸Ａの周りに延びる。
【００４３】
内側方向に面する、各係止構造の表面は、角度方向に延びる一連の３つの凸状のリッジ４１、４２、４３を含み、これらのリッジは、軸Ａに向かって半径方向内側に突き出て、リッジ対４１、４２および４２、４３の間に配置された凹状のくぼみ４４および４５によって離れている。リッジおよびくぼみは、構造３０ａ、３０ｂの全体の高さを長さ方向に延ばす。一連のリッジおよびくぼみの角度方向の輪郭は、連続的に滑らかであり、係止機能に適切な傾斜面を有する係止傾斜表面を提供する。各リッジ４１、４２、４３の頂点は、好ましくは、くぼみ４４、４５の最下点の曲率半径よりも大きな曲率半径で丸くされる。図２に最良に例示されているように、先端３６は構造３０ａ、３０ｂの反時計周りの方向であり、くぼみ４４の最下点から延びるリッジ４２の先端の傾斜は、くぼみ４４の最下点から延びるリッジ４１の後端の傾斜より浅い傾斜面を有する。同様に、くぼみ４０の最下点から延びるリッジ４３の先端の傾斜は、くぼみ４０の最下点から延びるリッジ４２の後端の傾斜より浅い傾斜面を有する。例示された実施形態において、軸Ａと各くぼみの最下点との間の半径線に対して、各リッジの先端の傾斜は、約３０°の角をなし、後端の傾斜は約４０°の角をなす。各リッジの頂点は十分に内側まで遠く延びて、そのレセプタクル中のクリートの挿入の間、下に記述されるレセプタクル上の係止構造歯と接触する。この点において、係止構造は、クリートのレセプタクル中への挿入の間、半径方向外側にいくらか弾性的に曲がるかあるいはゆがむことを可能にし、リッジ４１、４２、４３が、角度方向に干渉するレセプタクル歯を過ぎて、角度方向に強制されることを可能にする材料で作られなければならない。
【００４４】
各係止構造の上面４６は、ハブの上面１２に向かって、先端３６から後端３７への角度位置の関数として、下方向に傾斜する。結果として、先端のリッジ４１は、中間のリッジ４２よりも軸方向により長く（つまり、背が高く）、中間のリッジ４２は、代わりに、後端のリッジ４３よりも軸方向に長い。上面４６は、浅い傾斜面として働き、下に記述するように、表面をレセプタクル上に係合する。
【００４５】
クリートハブの上面は、また、２つの浅い上方向に延びる螺旋状の傾斜区画１５ａ、１５ｂを提供され、この傾斜区画１５ａ、１５ｂは、互いに１８０°だけ離され、ステム２０とそれぞれのレセプタクルクリート係止構造３０ａ、３０ｂとの間の円弧状の空間において軸Ａの周りに同軸に配置される。傾斜区画の高さは、クリート挿入回転の方向において、軸Ａの周りの角度変位の関数として増加し、各傾斜区画は角度方向に約９０°延びる。傾斜区画１５ａ、１５ｂの盛り上がった終点縁は、それぞれ、回転のストップとして働く半径方向に延びる肩１６ａ、１６ｂを画定する。これらのストップは、下に記述されるように、クリートの最終の角度的挿入位置において、レセプタクル上の対応する回転ストップ構造に当接するように配置される。この点において、フランジ２１の先端の縁、係止構造３０ａ、３０ｂの先端３６とストップ１６ａ、１６ｂとは、角度的に同期され、レセプタクル上のそれぞれの回転のストップ構造に位置的に接触する。
【００４６】
本発明の原理に従ったクリート１０を受け入れるように構成されるレセプタクルが、図６〜１１に例示され、それに対する具体的な参照がここでなされる。レセプタクル５０は、底面５３と上面５２とを有する基部５１を含む。基部は、概して円形であるが、他にクリート取り付け軸Ｂの周りに対称的にあるいは非対称的に構成され得る。クリート１０がレセプタクル５０にインストールされる場合、クリート軸Ａおよびレセプタクル軸Ｂが同軸に配置される。基部５１の外側輪状部は、レセプタクルを靴のソールに固定するために、長手方向に輪状部を通って画定される複数の取り付けスロットを有する。レセプタクルの取り付けは、当該技術分野では周知の方法によってもたらされ、取り付けソールの周りに外側ソール材料を形成すること、あるいは、米国特許第６，２４８，２７８号（Ｋｅｌｌｙ）等に開示されているように圧縮成形することを含む。概して円筒状の中空のボス５４が、基部の中央に提供され、レセプタクルの長手方向軸Ｂの周りに集中して配置される概して円筒状の内部あるいはキャビティ５５である、中空部を画定する。ボスの遠位端壁５６は、この遠位端壁５６を通って画定される輪郭付けられたアパーチャ５７を有し、キャビティへのアクセスを提供する。アパーチャ５７は、クリートステム２０の遠位端の輪郭およびその２つの取り付けフランジ２３ａ、２３ｂを受け入れ、好ましくは適合するように輪郭が付けられる。具体的には、アパーチャ５７は、ステム２０を受け入れるように構成される中央部分を有し、そこから２つの半径方向に延びるフランジ受け入れ区画が突き出る。キャビティ５５の長手方向の深さは、フランジの全体の厚さがキャビティ内に受け入れられるように、クリート取り付けフランジ２３ａ、２３ｂの最大の長手方向の厚さよりも僅かに大きい。２つの肩ストップ６５は、半径方向内側にキャビティの周辺から、キャビティの深さを長手方向に横切って延びて、クリートの挿入の間、受け入れられたフランジの回転ストップとして働く。肩６５は、相互に１８０°の間隔を置かれ、フランジが軸方向に、アパーチャ５７のフランジ受け入れ区画を通ってキャビティ内に挿入された後、キャビティ中のそれぞれの取り付けフランジ２０の回転を約９０°に各々制限する。肩６５の角度位置は、本明細書に記述される他の回転ストップと位置的に同期され、レセプタクルに対するクリートの最終の角度位置を画定する。
【００４７】
ボスの遠位端壁５６の２つの円弧状の区画の各々の内部の（つまり、上方向に面する）表面６６は、アパーチャ５７のフランジ受け入れ区画の間に角度的に配置され、挿入の間、フランジの前方回転の方向において上側方向に斜面をなす。結果は、インストール回転方向におけるキャビティ５５の長手方向の深さの角度の狭まりである。この狭まりは、取り付けフランジ上の下部面２５の発散に実質的に適合し、インストール回転角度の関数として、ボスの端壁の間のフランジの徐々に増加する圧縮を提供する。具体的には、インストール回転の間に表面６６と下部面２５とが初期接触をなすとき、接触は比較的緩いが、回転が続くと、接触は徐々に強くなり、キャビティ端壁の間の軸寸法において、フランジはより強く圧縮されるようになる。結果は、クリートのレセプタクルとの接近した係合への引き上げであり、本明細書に記述される他の係止機構と調和して作用し、インストールされたクリートの想定外の回転を防ぐ、表面６６と下部面２６との間の干渉あるいは摩擦フィットである。
【００４８】
ボスの端壁５６の露出された（つまり、下方向に面する）面は、互いに１８０°だけ離れて軸Ｂの周りに配置される、２つの浅い従属する螺旋状の傾斜区画６０ａ、６０ｂを有する。傾斜区画６０ａ、６０ｂの長手方向の高さは、クリート挿入回転の方向における軸Ｂの周りの角度変位の関数として増加し、各傾斜区画は、軸周りの９０°と１８０°との間の角度長さを有する。傾斜区画６０ａ、６０ｂの従属する終点縁は、それぞれ、半径方向に延びる肩６１ａ、６１ｂあるいは回転ストップを画定する。傾斜区画６０ａ、６０ｂは、クリート挿入の間、角度のある界面において、クリート１０の傾斜区画１５ａ、１５ｂとそれぞれ半径方向に整列されるように位置決めされる。特に、回転の前に（つまり、クリートおよびレセプタクルの挿入角度配向において）、取り付けフランジ２０のレセプタクルアパーチャ５７を通る軸方向の挿入がされると、クリート傾斜区画１５ａ、１５ｂの盛り上がった終点端は、それぞれのレセプタクル傾斜区画６０ａ、６０ｂの開始端に軸方向に整列され、該終点端に当接し、クリート傾斜区画１５ａ、１５ｂの開始端は、角度のあるレセプタクル傾斜区画６０ａ、６０ｂの従属終点端と軸方向に整列され、該従属終点端と当接する。ステム２０がキャビティ５５の中で回転されるとき、肩ストップ１６ａ、１６ｂがそれぞれの肩ストップ６１ｂおよび６１ａを係合するまで、当接する傾斜区画は、回転角度と共に増加する、より強い軸方向の係合に強制される。これは、クリートがレセプタクルに対してその最終角度配向に到達し、当接する傾斜区画との間の摩擦係合が最大になる場合に起きる。
【００４９】
２つの角度方向に延びるレセプタクル係止クラスタ７０ａ、７０ｂは、角度的に１８０°だけ離されており、ボスの遠位端壁の傾斜のついた面６０ａ、６０ｂの間に角度的に挟みこまれた円筒状のボスの半径方向外側の壁上で円周状に延びる。この実施形態の目的のために、クラスタ７０ａ、７０ｂの角度の中心、およびアパーチャ５７のフランジ受け入れ区画の角度中心は、好ましくは、軸Ｂを通って延びる共通の直径の線上に存在する。各レセプタクル係止クラスタの半径方向外側に面する面は、４つの歯７４、７５、７６、７７によって境界が定められる３つの角度方向に連続する凹状のくぼみ７１、７２、７３を有する。これらの歯およびくぼみは、全体の縦の高さあるいはレセプタクルボスの外面の長さを軸方向に延ばす。係止構造は、各クリート係止構造のリッジ４１、４２、４３および対応するレセプタクル係止クラスタの歯７４、７５、７６、７７が角度方向に整列される場合、各クリート係止構造のリッジ４１、４２、４３が、対応するレセプタクル係止クラスタの歯７４、７５、７６、７７と半径方向に干渉するような大きさにされ配向されている。一方、リッジおよび歯が整列された係止構造／クラスタのくぼみと角度方向に整列する場合、リッジおよび歯は、隣接する干渉リッジおよび歯によってクリートの想定外の回転が抵抗を受けるように、整列されたくぼみの中に延びる。レセプタクル中のクリートの最終の角度配向において、各レセプタクル係止クラスタの歯７５、７６は、整列されたクリート係止構造のくぼみ４５、４４の中にそれぞれ存在する。
【００５０】
各レセプタクル係止クラスタの先端８０は、歯７４の先端の縁であり、挿入回転の方向に角度的に面する。先端８０は、比較的浅い斜面を有し、平坦な半径方向に延びる、クリート係止構造の先端３６によって、先端８０が回転して通過させられることを容易にする。この通過を容易にする他の特徴は、クリート係止構造の斜面のある上面４６であり、先端３６における構造が軸方向により長いことを提供し、より長い端が、ハブ１１の上面１２においてその根元の周りに、より容易に曲げられることを可能にする。後端の歯７７の先端の縁８１は、実質的に平面（つまり、平坦）であり、実質的に平面で平坦な、クリート係止構造の先端３６によって当接される場合、半径方向に延びて回転ストップを提供する。
【００５１】
レセプタクル係止クラスタの角度的に中間の歯７５、７６は、構成において実質的に同一であり、丸くされた頂点へ外側方向にテーパが付いている。クリート係止構造のくぼみ４４、４５は、歯７５、７６がくぼみ４４、４５中において、レセプタクル５０内のクリート１０の最終のあるいは係止された角度方向に厳密に適応するように、実質的にレセプタクル７５、７６の発散と同じ角度で内側方向に発散する。
【００５２】
軸方向に短い円筒状の壁８４が、ボス５４および軸Ｂの周りに集中して、また、ボス５４および軸Ｂから外側方向に離れて、レセプタクル５０の基部から延びる。壁８４およびボス５４は、それらの間に、概して円環状の空間８５を基部５１の底面５３上に画定し、各クリート係止構造３０ａ、３０ｂの上面４６は、ステム２０がキャビティ５５に挿入されると、半径方向にかつ角度方向に底面５３と整列され、これらの係止構造は底面５３内に適応する。そのような挿入がされると、クリート係止構造の傾斜のある上面４６は、空間８５中においてレセプタクル基部５１の底面に接触し、ステムが回転させられるとき、上面４６は、基部５１とのより強固な係合に強制され、クリートとレセプタクルとの間に、さらなる摩擦フィットの係合を提供する。
【００５３】
クリート１０をレセプタクル５０に取り付けて係止する場合、ステム２０およびフランジ２３ａ、２３ｂが、アパーチャ５７を通ってレセプタクルキャビティ５５の中に、完全に軸方向に挿入される。ステムおよびフランジが、そして、キャビティの軸Ａおよび軸Ｂの周りに回転されるとき、各クリート係止構造３０ａ、３０ｂ上の連続するリッジの全体の軸方向の長さは、それぞれのレセプタクル係止クラスタ７０ａ、７０ｂの連続する歯の全体の軸方向の長さを過ぎて、以下のステップにより、角方向に強制される。（１）クリートリッジ４１および先端３６が、レセプタクル歯７４を通り過ぎてレセプタクルのくぼみ７１の中へ回転させられ、レセプタクル歯７４がクリートのくぼみ４４の中に突き出る。（２）そして、クリートリッジ４１、４２が、レセプタクル歯７５、７４をそれぞれ通り過ぎて、それぞれのレセプタクルのくぼみ７２、７１の中へ回転させられ、レセプタクル歯７５、７４がそれぞれのクリートのくぼみ４５、４４の中に突き出る。（３）そして、クリートリッジ４１、４２、４３が、レセプタクル歯７６、７５、７４をそれぞれ通り過ぎて、それぞれのくぼみ７３、７２、７１の中へ回転させられ、レセプタクル歯７６、７５、がそれぞれのクリートのくぼみ４５、４４の中に突き出て、クリート係止構造の先端３６がレセプタクル後端の歯７７の先端の縁８１と当接し、レセプタクル５０内の最終の角度配向クリート１０を画定する。各ステップにおいて、装着者は、触覚の指標と可聴の「クリック」の指標の両方を受け取り、該指標は、互いに通り過ぎて次のくぼみの中へ弾性的に強制されているリッジおよび歯によって提供される。加えて、より多くのリッジが係合され、各ステップの間に弾性的に変形されるので、必要な回転の力は、連続するステップに対するより大きい。結果として、クリートが部分的にあるいは全体的に挿入される場合、装着者は即座に気付かされる。２対の係止構造およびクラスタがあるので、６つのリッジおよび歯が、最終の角度位置において係合され、強い確実な回転の係止を提供する。
【００５４】
クリートおよびレセプタクルの最終の角度配向において、レセプタクルに対するクリートの軸方向の動きは、フランジ２３ａ、２３ｂと干渉する遠位端壁５６によって防がれ、フランジ２３ａ、２３ｂは、アパーチャ５７のフランジ受け入れ開口部とは角度的には整列しない。
【００５５】
上述のことから、３つの異なるタイプの６つの回転ストップがあり、回転ストップはクリートおよびレセプタクルの最終の角度配向を画定し、最終の角度配向においては、クリートは、係止構造およびクラスタによってレセプタクルの中に係止される。これらのストップは、（ａ）それぞれの肩ストップ６１ａ、６１ｂに当接する２つのクリートの肩ストップ１６ａ，１６ｂ、（ｂ）キャビティ５５内のそれぞれの肩ストップ６５を係合するクリートフランジ２３ａ、２３ｂの先端の縁２１、および（ｃ）レセプタクル係止クラスタのストップ８１を係合するクリート係止構造の２つの先端３６、である。クリートおよびレセプタクルは、すべての６つのストップがレセプタクル中のクリートの同じ角度配向において係合されることを意味し、これらのストップが角度位置に同期されるように構成される。
【００５６】
いくつかの応用に対しては、クリートが、靴のソールに対して特定の角度位置を有することが望ましい。例えば、靴製造者は、クリートのロゴが特定の配向を有することを望み得る。あるいは、クリート摩擦要素が互いに異なり得、そして、クリートの所定の角度配向において具体的な所望の摩擦効果が得られる。上に記述された複数のストップは、最終の配向あるいは、初期の挿入位置に対するクリートの係止配向を事前に決定する。
【００５７】
この状況において、上の記述から、提供される３つの別個の干渉フィットあるいは摩擦係合があり、クリート上の係止構造とレセプタクル上の係止クラスタに加えて、それらは、クリートの想定外の回転およびレセプタクルからの取り除きを防ぐように機能する。これらは、（ｉ）レセプタクルボス５４の遠位端壁５６の内部面６６に対する、各フランジの下部面の摩擦係合、（ｉｉ）クリート傾斜区画１５ａ、１５ｂとレセプタクル傾斜区画６０ａ、６０ｂとの間の角度のある界面の摩擦係合、（ｉｉｉ）クリート係止構造の各上面４６と、基部底面５３の円環状区分８５内のレセプタクル基部のそれぞれの区分との間の摩擦係合、である。係止構造および確実な摩擦係合は、比較的小さな長手方向の厚さのフランジが、想定外の係止外れおよびフランジのレセプタクルキャビティからの取り除きに関する心配なしで使用されることを可能にする。
【００５８】
ボスの遠位端壁のフランジ下部面２５および内部面６６の各々の水平に対する角度は、係合する傾斜区画１５ａ、１５ｂおよびボスの端壁区画６０ａ、６０ｂの水平に対する角度よりも一般に大きい。一般には、前者は４．１°のオーダであり、後者は、２．２°のオーダである。結果として、フランジがキャビティ内で回転させられると、傾斜区画および端壁区画をより確実な係合の中に駆動し、それらの間の干渉フィットがより効果的になることを可能にする。
【００５９】
例としてのみで、また、本発明の範囲を限定するとは解釈されないとして、以下はレセプタクルの構成部品の例示的寸法である。基部５１の底面と遠位端壁５６の外面との間の、レセプタクル５０の最高点におけるレセプタクル５０の縦の高さは、４．０ｍｍであり、水平に対する角度のある界面の公称角度（傾斜した区画１５ａ、１５ｂおよび６０ａ、６０ｂ）は、１ｍｍピッチにおいて、約２°であり、フランジおよびボス端壁の当接する内部面の斜面のある下部面２５の水平に対する公称角度は、２ｍｍピッチにおいて、約４°（角度のある界面の角度およびピッチの約２倍）であり、レセプタクル歯７５、７６の各頂点と中間のくぼみ７１を通る軸Ｂから下がる半径との間の角度は、１４°であり、その半径と歯７７の先端の縁８１との間の角度は、３５°、その半径と歯７５の先端の縁との間の角度は、４０°（この角度は歯７６の先端の縁と同様である）であり、その半径と歯７５の後端の縁との間の角度は、３０°（また、この角度は歯７６の後端の縁と同様である）である。
【００６０】
上に述べたように、クリート１０のフランジ２３ａ、２３ｂの縦の厚さは、約１．５ｍｍである。従って、キャビティ５５の最長の部分におけるキャビティ５５の縦の高さは、記述された干渉フィットを提供するために、ほぼ同じである。一般には、その高さは約１．６ｍｍまたはそれより小さいであろう。
【００６１】
歯の先端の縁と後端の縁との間の差は、クリートを挿入の方向（一般には、クリートの底側に向かって見た場合に時計回りの方向）に回転することを、取り外し方向（一般には、同様に見た場合に、反時計回りの方向）に回転するよりも容易にする。図５において最良に見られるように、直径で反対側の位置においてクリートの底面に確定された２つのツールアクセス孔９０があり、係止力および摩擦フィットの係合に打ち勝つ従来のツールによって、適切なトルクがクリートに適用されることを可能にする。
【００６２】
図１〜１１の実施形態において、レセプタクルに対する好ましい材料は、８８Ｄ〜９３Ｄの範囲のＤｕｒｏｍｅｔｅｒ硬度を有するＳｔａｎｙｌ  ４６  Ｎｙｌｏｎである。クリートハブ、ステム、取り付けフランジおよびクリート係止構造に対する好ましい材料は、５５Ｄ〜７５Ｄの範囲の、最も好ましくは７１Ｄの、Ｄｕｒｏｍｅｔｅｒ硬度を有する熱可塑性ポリウレタン（ＴＰＵ）である。
【００６３】
上に記述したように、本発明のいくつかの利点のうちの１つは、組み立てられたクリートおよびレセプタクルの、比較的小さい縦のあるいは軸方向の輪郭であり、特に、比較的薄い靴の外ソールにインストールされることを可能にするレセプタクルである。図１〜１１に例示された実施形態において、レセプタクルの軸方向の輪郭は、約４．０ｍｍである。図１２〜１７に例示された実施形態においては、レセプタクルの縦の輪郭は、３．０ｍｍまで小さく作られ得、係止構造リッジおよび係止クラスタ歯を再配向して、水平に（つまり、横方向に）突き出るよりも、縦方向に（つまり、軸方向に）突き出ることによって可能にされた特徴である。図１２〜１７を参照すると、単純化を目的として、摩擦要素を含む一般のクリートの下部側は示されていなく、任意の摩擦要素が使用され得る。クリート１１０は、ステム１２０が上方に突き出る上面１１２を有する基部１１１を含む。取り付けフランジ１２３ａおよび１２３ｂは、ステムの遠位端から半径方向外側に延びる。これらの要素は、すべて上に記述されたクリート１０の対応する要素と同様である。同様に、レセプタクル１５０は、輪郭付けられたアパーチャ１５７を有する中空のキャビティ１５５および遠位端壁１５６を含むボス１５４を有し、クリートステムおよび取り付けフランジを受け入れる。これらの要素は、また、レセプタクル５０の対応する要素と同様である。この実施形態において、クリートは、４つの係止構造１３０ａ、１３０ｂ、１３０ｃ、１３０ｄを有し、これらは実質的に同一であり、ステム１２０から半径方向に外側に間隔をおいて円環状の配列において、角度的に離れた関係に位置決めされている。４つの係止構造は、１つの例としてのみであり、任意の数の１つ以上のそのような構造が提供され得ることが理解されるべきである。同様に、任意の数の１つ以上の取り付けフランジが提供され得る。例示の実施形態において、フランジ１２３ａおよび１２３ｂは反対方向に延びており、それらの角度中心が１８０°離れて、それらの遠位端は、係止構造の最も内側の部分の半径方向の距離よりも小さい半径方向の距離を延びる。係止構造１３０ｂの角度中心は、フランジ１２３ｂの角度中心から時計回りに６０°離されており、係止構造１３０ｃの角度中心から反時計回りに６０°離れており、係止構造１３０ｃの角度中心は、フランジ１２３ａの角度中心から反時計回りに６０°離されている。係止構造１３０ｄの角度中心は、フランジ１２３ａの角度中心から時計回りに６０°離れており、係止構造１３０ｃの角度中心から反時計回りに６０°離ており、係止構造１３０ｃはフランジ１２３ｂの角度中心から反時計回りに６０°離れている。
【００６４】
各係止構造１３０ａ、１３０ｂ、１３０ｃ、１３０ｄは、３つの角度的に離されたリッジ１４１、１４２、１４３を含み、これらのリッジは、長手方向に突き出て円環状に連続するくぼみ１４４、１４５に挟まれている。各リッジは、立ち上がる支持部材を含み、支持部材は遠位端を有し、遠位端は、上方向に徐々に細くなり半径方向に延びる実質的に直線状の縁を形成し、実質的に直線状の縁は、所望なら、丸くされ得る。例示された実施形態において、立ち上がる支持部材は、直角の横断面であるが、本発明の特徴を限定するものではない。リッジの高さは、好ましくは、遠位縁がフランジの下部面よりも低い横方向のレベルである。リッジの位置決めおよび構成に対するさらなる要件が、下に記述される。
【００６５】
レセプタクル１５０は、交互に半径方向に延びる歯１７４およびくぼみ１７１の、連続する円環状の配列を提供される。配列は、半径方向に位置決めされ、ステム１２０およびフランジ１２３ａ、１２３ｂがアパーチャ１５７を通ってキャビティ１５５の中に挿入されると、リッジ１４１と整列される。リッジは、くぼみ１７１の中に受け入れられるように構成されており、十分に弾性的に可撓性であり、ステム１２０がキャビティ内で回転させられるとき、つめ車タイプの係合に、歯１７４の上を曲がって連続するくぼみ１７１へ通り過ぎる。回転ストップ部材が、キャビティ内に提供され、レセプタクル５０のストップ部材６５と同様に、フランジの回転を制限し、クリートおよびレセプタクルの最終の角度配向を画定する。さらなるストップ部材が、様々な機能的形式において、キャビティ内のストップ部材との角度位置決めに同期して提供される。例えば、レセプタクルの１つ以上の歯１７４が他のものよりも大きいことがあり得、該歯を通り過ぎるリッジの回転を防ぐ。
【００６６】
ステム１２０およびフランジ１２３ａ、１２３ｂのキャビティ１５５の中への完全な軸方向の挿入がされると、係止構造およびクラスタ上のリッジおよび歯は、それらの半径方向の長さ全体にわたって完全に係合される。クリートの回転の間、各リッジがそれぞれの歯を隣接するくぼみの中へ通り過ぎるとき、装着者は可聴的にあるいは触覚的に「クリック」を感知できる。
【００６７】
フランジの下部側とボスの端壁の内部面は、クリート１０およびレセプタクル５０に関して記述されたように、好ましくは徐々に細くなって摩擦フィットを提供する。同様に、傾斜と対になる摩擦フィットは、端壁１５６の露出された外面およびステム１２０と係止構造１３０ａ、１３０ｂ、１３０ｃ、１３０ｄとの間のクリートの上面に角度のある界面を提供し得る。
【００６８】
上に記述された実施形態は、クリート軸Ａの周りに対称的に配置される、２つの実質的に同等に構成される取り付けフランジを含む。本発明の原理は、任意の数（１つ以上）のフランジに加えて、異なって構成される任意のフランジが同じクリートに提供され、クリートステムとの関係で対称的か、あるいは非対称的に位置決めされるフランジを有することを可能にすることを理解すべきである。例えば、図１８および１９は、３つの取り付けフランジが提供される実施形態を例示している。具体的には、クリート２１０は、ハブから上方向に突き出るステム２２０を有するハブ２１１を含む。３つの取り付けフランジ２２３ａ、２２３ｂ、２２３ｃは、ステムの遠位端から半径方向外側に突き出て、連続する６０°の位置にある。３つの係止構造２３０ａ、２３０ｂ、２３０ｃが、ステムと取り付けフランジの遠位端との間の半径方向の間隔よりも大きいステムから半径方向の間隔において、取り付けフランジの中間のそれぞれの角度位置に配置される。フランジ２３ａ、２３ｂと同じ方法で、フランジが厚さで角度的に徐々に細くなるように、各フランジの下部面は斜面をなす。この実施形態において、各クリート係止構造は、くぼみ２４４によって離された２つのリッジ２４１、２４２を有する。リッジ２４１の先端の縁である該構造の先端２３６は、クリート１０の端３６に対して記述された方法において、半径方向および長手方向に延びて角度ストップとして働く平坦な平面として構成される。３つの１２０°離された傾斜区画２１５ａ、２１５ｂ、２１５ｃは、それぞれの係止構造とステム２２０との間に配置され、盛り上がった肩ストップ２１６ａ、２１６ｂ、２１６ｃにおいてそれぞれ終わる。
【００６９】
レセプタクル２５０は、底面と上面と、外側環状部分を通って画定される複数のソール取り付けスロットを有する外側環状部分とを有する基部を含む。概して円筒状のボス２５４は、中空の概して円筒状の内部あるいはキャビティ２５５をレセプタクル長手方向軸の周りに集中して配置された状態に制限する。ボスの遠位端壁は、その遠位端壁を通って画定される輪郭付けられたアパーチャ２５７を有し、クリートステム２０の遠位端およびその３つの取り付けフランジ２２３ａ、２２３ｂ、２２３ｃを受け入れる。６０°離された３つの肩ストップが、半径方向内側方向にキャビティ周辺から、かつ、長手方向にキャビティの深さを横切って延び得て、クリートの挿入の間、受け入れられたフランジの回転ストップとして働く。肩ストップは、クリートのレセプタクル内の挿入の間、キャビティ中のそれぞれの取り付けフランジの回転を約６０°に制限する。
【００７０】
ボス遠位端壁２５６の円弧状の区分の各々の内部（つまり、上方に面する）面は、アパーチャ２５７のフランジ受け入れ区分の間に角度的に配置されており、装着の間、フランジの前方回転の方向において上側方向に斜面をなす。結果は、装着回転方向における、キャビティ２５５の長手方向の深さの角度的な狭まりである。この狭まりは、実質的に取り付けフランジの下部面の発散に対応し、装着回転角度の関数として、徐々に増加するボス端壁の間のフランジの圧縮を提供する。結果は、干渉あるいは摩擦フィットであり、本明細書に記述されている他の係止機構と調和して作用し、装着されたクリートの想定外の回転を防ぐ。
【００７１】
ボス遠位端壁２５６の露出された（つまり、下側方向に面する）面は、連続して１２０°離され軸方向にレセプタクルの軸の周りに配置された区画２６０ａ、２６０ｂ、２６０ｃとの角度のある界面において、３つの浅い従属する螺旋を有し得る。これらの傾斜区画の長手方向の高さは、クリート挿入回転の方向における軸周りの角度変位の関数として増加し、各傾斜区画は、軸の周りに約６０°延びる。ボス傾斜の従属する終点縁は、半径方向に延びる肩あるいはストップ２６１ａ、２６１ｂ、２６１ｃを画定する。ボス傾斜区画は、クリート挿入の間、クリート２１０上のそれぞれの傾斜区画２１５ａ、２１５ｂ、２１５ｃと半径方向に整列されるように位置決めされ、クリート１０の傾斜区画１５ａ、１５ｂ、１５ｃおよびレセプタクル５０の傾斜区画６０ａ、６０ｂ、６０ｃに関して記述されたような方法において、これらの傾斜区画と共に機能する。
【００７２】
ボスの外壁は、係止歯の３つのクラスタおよびレセプタクル５０に関して記述されたタイプのくぼみを提供されるが、３つの係止構造２３０ａ、２３０ｂ、２３０ｃのリッジおよびくぼみに適応するように構成され位置決めされる。
【００７３】
概して、レセプタクル２５０のクリート２１０の挿入は、２つの代わりに３つのフランジ取り付け具があり、２つの代わりに３つの係止構造／クラスタの係合があり、２つの代わりに３つの当接する傾斜区画からもたらされる摩擦フィット係合があることを除いて、クリート１０およびレセプタクル５０に対して記述された同じ方法において、前進する。
【００７４】
さらなる例として、図２０および２１はクリート３１０およびレセプタクル３５０をそれぞれ示す。クリート３１０において、４つの取り付けフランジ３２３ａ、３２３ｂ、３２３ｃ、３２３ｄおよび４つのクリート係止構造３３０ａ、３３０ｂ、３３０ｃ、３３０ｄが提供される。さらに、４つの傾斜区画３１５ａ、３１５ｂ、３１５ｃ、３１５ｄがあり、角度ストップ３１６ａ、３１６ｂ、３１６ｃ、３１６ｄをこれらの傾斜区画の端に有する。これらの要素は、クリート１０の対応する要素と同じように構成され機能する。レセプタクル３５０において、ボス３５４の端壁は、キャビティ３５５中の４つのフランジ３２３ａ、３２３ｂ、３２３ｃ、３２３ｄ、レセプタクル係止構造３３０ａ、３３０ｂ、３３０ｃ、３３０ｄを係合するように構成された４つの係止歯のクラスタとくぼみ、および４つの傾斜区画３６０ａ、３６０ｂ、３６０ｃ、３６０ｄを受け入れるように構成されるアパーチャ３５７と、クリート１０およびレセプタクル５０に関して記述された方法で、角度のある界面において傾斜３１５ａ、３１５ｂ、３１５ｃ、３１５ｄおよび角度ストップ３１６ａ、３１６ｂ、３１６ｃ、３１６ｄと協働するように位置決めされ構成される盛り上がった端におけるストップとを有する。
【００７５】
図２２および２３を参照して、クリート４１０は本質的にクリート１０と同じであり、レセプタクル５０と同様なレセプタクル４５０に受け入れられるように構成されている。しかしながら、係止歯の２つの角度的に離れたクラスタおよびレセプタクルボスの外壁上のくぼみがある代わりに、連続する係止歯４７０および全体のボスの円周の周りに延びるくぼみ４７２の１つの連続するクラスタがある。キャビティ中へのステムの軸方向の挿入がされると、ステムおよびフランジはなおもキャビティから軸方向に引き下げられ得るが、レセプタクル係止歯およびクリート係止リッジは、直ちに挟み込まれる。ステムが回転すると、フランジはキャビティ中においてボス端壁によって軸方向に捉えられ、レセプタクル５０内として記述された方法において、摩擦的に係合される。
【００７６】
図２４および２５を参照すると、クリート５１０は本質的にクリート１０と同じであり、レセプタクル５０と同様なレセプタクル５５０中に受け入れられるように構成されている。しかしながら、２つのレセプタクル係止クラスタ５７０が、アパーチャ５５７のフランジ受け入れ部分の角度中心と共直線状に、角度的に集中させられている代わりに、ボス５５４の係止クラスタ５７０は、９０°だけずれている。この実施形態において、クリート係止構造５３０とレセプタクル係止クラスタ５７０との間に係合がなければならないために、ステムが回転させられなければならない代わりに、係止構造および係止クラスタは直接的に係合される。この位置において、ステム５２０およびフランジ５２３は、レセプタクルキャビティからなおも引き上げられ得る。ステムおよびフランジがキャビティ中で回転させられるとき、クリート係止構造５３０は、約９０°の回転の後、クリート係止構造５３０およびレセプタクル係止クラスタ５７０がもはや角度的に整列していなくなるまで、それぞれのレセプタクル係止クラスタを過ぎて回転する。代わりに、クリート係止構造は、レセプタクル係止クラスの間の円環状の隙間に存在し、これらの隙間内で自由に回転的に動く。これは、レセプタクル内のクリートに対する角度の「遊び」あるいはスイベルを、提供する。この機構は、回転の摩擦のクッション効果を提供する。靴のソールの地面に対する動きに依存して、摩擦は徐々に有効になり得る。
【００７７】
上に記述した実施形態において、多くの利点を有する特徴であるクリート係止リッジおよびレセプタクル係止歯は、それぞれのキャビティの外側に配置される。しかしながら、いくつかの場合、これらの係止構造をレセプタクルの内側に提供することが望ましいことがあり得る。図２６および２７を参照すると、クリート６１０はステム６２０を提供され、その遠位端から２つの取り付けフランジ６２３が、クリート１０のように半径方向外側に突き出る。各取り付けフランジ６２３は、フランジの上面から上方向に突き出る、ステムから半径方向外側に延びる一連の隣り合った係止リッジ６４１を有する。リッジの上端は、好ましくは直線状であるが、曲線状であるかあるいは面取りされていることがあり得る。クリートハブは、ステム６２０を囲む盛り上がった角度ストップ６１６中で終わる２つの螺旋状の傾斜した区画６１５を提供される。クリート６１０は、クリート１０と同様であるが、重要なことは、そのハブ上には係止構造を有さないことである。
【００７８】
レセプタクル６５０は、クリート６１０を、ボス６５４に含まれるそのキャビティ６５５中に受け入れるように適合されている。ボス端壁の露出された表面は、クリート１０およびレセプタクル５０に対して記述されたように、２つの傾斜した区画６６０を提供され、クリートの傾斜した区画６１５を角度のある界面に係合する。各傾斜の端において盛り上がった縁６６１は、クリート上のそれぞれの角度ストップ６１６と協働して、挿入回転をクリートの最終の角度配向に制限する。ボス６５４は、係止歯を有さず、代わりに、係止歯６７０がキャビティ６５５の底壁の内部面に提供され、フランジがキャビティ中において係止位置に回転させられる場合、係止リッジ６４１をフランジ６２３上に係合するように位置決めされる。リッジ６４１および歯６７０は、洗濯板タイプの関係に係合し、その最終角度配向からのクリートの想定外の回転を防ぐ。
【００７９】
図２６、２７に示されるリッジおよび歯が、代替としてあるいは追加として、取り付けフランジ６２３の底面およびボス６５４の遠位端壁の下部面上に提供され得ることは容易に理解されるであろう。係止は、規則的なリッジおよび歯の構造に限定される必要はなく、キャビティのいずれかの端壁の内側面、およびフランジの上面か底面のいずれかの上に不規則な表面構成によっても提供され得る。バンプのようなさらなる代替の表面の凹凸が、ステムと係止構造との間のクリートの上面に提供され得るので、クリートがその最終の角度位置に回転させられる場合、角度位置は、凹凸がアパーチャ５７の開口部を受け入れるフランジにおいてキャビティ中に突き出ることを可能にする。
【００８０】
レセプタクルボス上のクリートハブの傾斜した区画６０ａ、６０ｂ上の傾斜区画１５ａ、１５ｂの間に提供される角度のある界面は、キャビティ内フランジのタイプの取り付けに限定される必要はない。図２８、３０Ａおよび３０Ｂを参照すると、クリートハブ７１１から上側方向に突き出る従来のねじの切られたステム７２０を有するクリート７１０が例示されている。従来の摩擦要素は、クリートの底から下側方向に延びる。クリートの上面は、角度順序にクリート軸Ａの周りに同軸に配置された複数の（この場合は３つ）浅い上側方向に延びる螺旋状の傾斜区画７１５ａ，７１５ｂ、７１５ｃに、角度的に細分される。傾斜区画の高さは、クリート軸の周りのクリート挿入の回転方向の角度変位の関数として増加し、各傾斜区画は、角度的に約１２０°延びる。傾斜区画７１５ａ、７１５ｂ、７１５ｃの盛り上がった終点縁は、それぞれ、ストップ７１６ａ、７１６ｂ、７１６ｃの半径方向に延びる肩を画定する。これらのストップは、クリートの最終の角度挿入位置において、下に記述される、レセプタクル上の対応する回転のストップ構造と当接するように位置決めされる。
【００８１】
レセプタクル７５０の下側方向に面する表面は、レセプタクル軸の周りに同軸に配置される、３つの浅い従属する螺旋状の傾斜区画７６０ａ、７６０ｂ、７６０ｃに細分される。傾斜区画７６０ａ、７６０ｂ、７６０ｃの長手方向の高さは、該軸の周りのクリート挿入の回転方向の角度変位の関数として増加し、各傾斜区画は、軸の周りで角度的に約１２０°延びる。これらの傾斜区画の従属する終点縁は、それぞれ半径方向に延びる肩あるいはストップ７６１ａ、７６１ｂ、７６１ｃを画定する。傾斜区画７６０ａ、７６０ｂ、７６０ｃは、クリート挿入の間、クリート７１０の傾斜区画７１５ａ，７１５ｂ、７１５ｃと角度のある界面においてそれぞれ半径方向に整列されるように位置付けされる。特に、ねじの切られたソケット７５５にねじの切られたステム７２０の回転挿入がされると、当接する傾斜区画は、肩ストップ７１６ａ，７１６ｂ、７１６ｃがそれぞれの肩ストップ７６１ｂ、７６１ａ、７６１ｃと当接するまで、回転角度と共に増加するより強固な軸方向の係合に強制される。これは、クリートがレセプタクルに対してその最終の角度配向に到達し、当接する傾斜区画の間の摩擦係合が最大になる場合に起きる。
【００８２】
クリート上の傾斜区画が、異なる結果を有する反対の角度方向に傾斜され得ることに注意することは興味のあることである。例えば、クリート７１０において、傾斜区画７１５ａ，７１５ｂ、７１５ｃは、反時計回りの方向に高さが増加する。図２９に例示されるクリート８１０において、傾斜した区画８１５ａ、８１５ｂ、８１５ｃは、時計回りの方向に高さが増加する。クリート８１０が、レセプタクル７５０の中に回転的に挿入される場合、クリート８１０の傾斜した区画８１５ａ、８１５ｂ、８１５ｃは、レセプタクルの対応する傾斜した区画７６１ａ、７６１ｂ、７６１ｃと当接し、クリートの傾斜端８１６ａ、８１６ｂ、８１６ｃがレセプタクル傾斜端７１６ａ，７１６ｂ、７１６ｃを超えて動き、端が長手方向に向かって互いに噛み合って、角度的に当接する関係になり、クリートおよびレセプタクルの最終の角度配向を画定するまで、徐々に係合を強くしながらそれに沿って進む。
【００８３】
フランジ軸受けステム２０は、単一部材である必要はない。具体的には、米国特許第６，６３１．５７１号（ＭｃＭｕｌｌｉｎ）に開示されているように、弾性的に、旋回可能に、僅かに曲がり得るそれ自体のステムによって、各取り付けフランジは支持され得、アパーチャ５７を通るキャビティ５５へのフランジ挿入およびキャビティ５５からのフランジの取り除きの間、支持されたフランジの間の小さな相対的な変位が援助することを可能にし、係止構造を解き放つことなく、クリートに適用された横方向に向けられた衝撃力をより容易に吸収する。そのような構成の例が、図３１、３２に例示されており、クリート９００は、クリート取り付け軸の両側で離された関係に配置される２つのステム９２０ａ、９２０ｂを含む。例示された実施形態において、これらのステムは、図６のレセプタクルによって使用されるために、軸の周りに対称的な関係で１８０°離されている。ステムは、非対称的に位置決めされ得、ステムが使用されるレセプタクルの構成に依存して、任意の数のステムが提供され得ることは容易に理解されるべきである。ステム９２０ａ、９２０ｂの近位端は、クリートハブの上面に配置される。それぞれの取り付けフランジ９２３ａ、９２３ｂは、ステム９２０ａ、９２０ｂの遠位端から、１８０°離された関係で半径方向外側方向に延びる。これらのフランジは、２つのステムの間の間隔のため、可能性としてはフランジ２３ａ、２３ｂ（図１）よりも半径方向の長さが短いが、アパーチャ５７（図１）のフランジ受け入れ部分に位置決めされ、受け入れられるように構成されており、フランジ２３ａ、２３ｂと同じ方法でフランジ受け入れ部分の中で機能する。２つのストップブロック９９０ａ、９９０ｂは、１８０°離れ、ステム９２０ａ、９２０ｂから９０°離れた角度位置において、クリートハブから上方向に突き出る。ストップブロックの半径方向の位置および横の断面構成は、これらが、クリートおよびレセプタクルの最終のあるいは係止された角度配向において、レセプタクル５０（図１）のアパーチャ５７のそれぞれのフランジ受け入れ部分と整列され、フランジ受け入れ部分に厳密に適応することを可能にする。クリートが回転されると、フランジの斜面のある下部面は、キャビティ端壁の斜面のある内部面とより強固に係合され、ストップブロック９９０ａ、９９０ｂの遠位端は、ブロックがクリートのステムと共に回転させられると、レセプタクルボス５４（図１）の遠位端壁５６に徐々に近く引っ張られる。ブロックが、アパーチャのフランジ受け入れ部分に到達した場合、これはクリートの最終のあるいは係止の角度配向に対応するが、ブロックは、ブロックがキャビティ中に延びるように、噛み合うような方法でそれぞれのアパーチャ部分の中に引き上げられる。そのように位置決めされた場合、ストップブロックは、クリートの想定外の回転およびその係止された位置からの取り除きに強く抵抗するように働く。適切なレンチあるいは上に記述されたような道具によるクリートの交換を容易にするために、ストップブロックは、弾性的に可撓性の材料で構成され得、それらが十分に曲げられて、クリートに適用される十分なトルクに応答して、アパーチャ５７から撃退される���うになることを可能にする。代替としてあるいは加えて、取り除き回転方向に面するブロックの側壁は、斜面が付けられるか、あるいは、印加されるトルクに応答してではあるがクリートの通常の使用の結果として、アパーチャ５７からの取り除きを可能にする輪郭が付けられ得る。
【００８４】
当業者は、２つの取り付けステムの使用は本発明の限定する特徴ではなく、図１９および２１のレセプタクルに受け入れられるように、例えば、３つ以上のステムが提供され得ることを理解するであろう。同様に、ストップブロックの数は、特定のレセプタクルを適応させるために増加され得る。複数のステムの実施形態は、ストップブロックの係止の使用に制限されることなく、本明細書に記述され様々な図面に例示された係止構造は、複数の係止ステムによって容易に機能し得ることに注意しなければならない。
【００８５】
上に記述され、図面に例示された実施形態は、本発明の原理を実装する多くの手段のうちのいくつかを表わしている。例えば、ステム２０および本明細書に記述された他の取り付けステムは、横断面において円形である必要はなく、任意の規則的なあるいは不規則な多角形の断面が使用され得る。取り付けフランジ２３ａ、２３ｂおよび本明細書に記述された他のものが、本明細書に記述された機能的特徴と矛盾しない限り、実質的に任意の横周辺形状を有し得る。同様に、ボス５４およびキャビティ５５は、様々な実施形態におけるボスおよびキャビティと同様に、円形の円筒状構成を有する必要はなく、代わりに、本明細書に記述された動作原理と矛盾しない、任意の規則的なあるいは不規則な多角形の横断面形状を有し得る。
【００８６】
特定の輪郭あるいはトポグラフィーを有して図面に示された表面および他の構造的特徴は、特定の機能に対して同じことが必要であると記述されていない限り、そうである必要はない。
【００８７】
本明細書に注解したように、本発明は第１にゴルフ靴への応用によって開示されてきたが、その原理は、サッカー、フットボール、野球等のような他の運動活動に使用される他のタイプのクリートの靴にも等しく適用可能である。
【００８８】
摩擦クリートとそのためのレセプタクルとを相互接続するための、新しい、改良された方法および装置の好ましい実施形態が記述されてきたが、他の修正、変形および変更が、本明細書に記述された教示に照らして、当業者に示唆されるであろうと信じられている。従って、すべてのそのような変形、修正および変更は、添付の特許請求の範囲に規定されるように、本発明の範囲内にあることが理解されるべきである。具体的な用語が本明細書に採用されてきたが、これらは、一般的かつ描写的感覚でのみ使用されており、限定する目的のためではない。
【図１】
0005442719.tif 000002
【図２】
0005442719.tif 000003
【図３】
0005442719.tif 000004
【図４】
0005442719.tif 000005
【図５】
0005442719.tif 000006
【図６】
0005442719.tif 000007
【図７】
0005442719.tif 000008
【図８】
0005442719.tif 000009
【図９】
0005442719.tif 000010
【図１０】
0005442719.tif 000011
【図１１】
0005442719.tif 000012
【図１２】
0005442719.tif 000013
【図１３】
0005442719.tif 000014
【図１４】
0005442719.tif 000015
【図１５】
0005442719.tif 000016
【図１６】
0005442719.tif 000017
【図１７】
0005442719.tif 000018
【図１８】
0005442719.tif 000019
【図１９】
0005442719.tif 000020
【図２０】
0005442719.tif 000021
【図２１】
0005442719.tif 000022
【図２２】
0005442719.tif 000023
【図２３】
0005442719.tif 000024
【図２４】
0005442719.tif 000025
【図２５】
0005442719.tif 000026
【図２６】
0005442719.tif 000027
【図２７】
0005442719.tif 000028
【図２８】
0005442719.tif 000029
【図２９】
0005442719.tif 000030
【図３０Ａ】
0005442719.tif 000031
【図３０Ｂ】
0005442719.tif 000032
【図３１】
0005442719.tif 000033
【図３２】
0005442719.tif 000034